(57)【要約】【課題】寸法誤差や施工誤差を吸収することができるとともに、開口部の施工に係る部品点数を極力減らすようにする。【解決手段】開口枠材１０の側面部１１に取り付けられて当該開口枠材１０と共に開口部２ａ，３ａ，４ａの縁部の仕上げを行うケーシング枠材２０が、長さ方向に連続する同一断面となるように形成され、外部に部分的に露出する本体部２１と、本体部２１から突出し、凹溝１１ａに差し込まれる差込部２２と、本体部２１から、差込部２２よりも短い寸法で突出する凸部２３と、を備えるとともに、長さ方向に連続する同一断面となっており、差込部２２の突出方向及び凸部２３の突出方向は、本体部２１の長さ方向に直交する方向であって、かつ、互いに直交する方向であり、差込部２２は、当該差込部２２を本体部２１に対して撓ませるための弾性部を有している。【選択図】図２
2019190173.tif 000002
【特許請求の範囲】
【請求項１】
幅方向両側の側面部のうち少なくとも一方の側面部に、側方に開口する凹溝が形成された開口枠材が、建物の壁に形成された開口部に面して設けられており、
前記開口枠材の前記側面部に取り付けられて当該開口枠材と共に前記開口部の縁部の仕上げを行うケーシング枠材において、
長さ方向に連続する同一断面となるように形成され、外部に部分的に露出する本体部と、
前記本体部から突出し、前記凹溝に差し込まれる差込部と、
前記本体部から、前記差込部よりも短い寸法で突出する凸部と、
を備えており、
前記差込部の突出方向及び前記凸部の突出方向は、前記本体部の長さ方向に直交する方向であって、かつ、互いに直交する方向であり、
前記差込部は、当該差込部を前記本体部に対して撓ませるための弾性部を有していることを特徴とするケーシング枠材。
【請求項２】
請求項１に記載のケーシング枠材において、
前記差込部及び前記凸部のそれぞれは、その突出方向と直交する方向の厚み寸法が、前記本体部の厚み寸法よりも短く設定されていることを特徴とするケーシング枠材。
【請求項３】
請求項１又は２に記載のケーシング枠材において、
前記差込部は、
前記凹溝内の溝壁に密接する先端部と、
前記先端部よりも括れて厚み寸法の薄い状態に形成された基端部と、を有しており、前記基端部が前記弾性部として機能することを特徴とするケーシング枠材。
【請求項４】
請求項１〜３のいずれか一項に記載のケーシング枠材において、
前記差込部及び前記凸部は、前記本体部のうち外部に露出する側面に沿って、かつ、前記本体部との境界部位において面一な状態で設けられていることを特徴とするケーシング枠材。
【請求項５】
請求項１〜４のいずれか一項に記載のケーシング枠材において、
前記凸部は、
前記本体部に一体形成された凸部本体と、
前記凸部本体の先端に、当該凸部本体から切り離し可能に一体形成され、前記凹溝に差し込まれて前記凹溝内の溝壁に接触する切り離し部と、を有することを特徴とするケーシング枠材。
【請求項６】
前記開口枠材の前記側面部に取り付けられている請求項１〜５のいずれか一項に記載のケーシング枠材の取付構造であって、
前記建物の壁において隣接する一側面と他側面が、コーナー部を介して直交する方向に配置され、前記一側面側及び前記他側面側の双方に、互いに近接する前記開口部が形成された状態となっており、
前記一側面側の前記開口部に面する一方の前記開口枠材が、前記壁の前記一側面に設けられ、前記他側面側の前記開口部に面する他方の前記開口枠材が、前記壁の前記他側面に設けられ、さらに前記一方の開口枠材と前記他方の開口枠材は、前記壁の前記コーナー部に沿って互いに隣り合うようにして配置されており、
前記ケーシング枠材は、前記壁の前記コーナー部に沿って、かつ、前記一方の開口枠材における前記側面部と前記他方の開口枠材における前記側面部との間に位置するようにして設けられており、
前記ケーシング枠材の前記差込部は、前記一方の開口枠材の前記凹溝に差し込まれ、
前記ケーシング枠材の前記凸部は、前記他方の開口枠材の前記凹溝に入れられていることを特徴とするケーシング枠材の取付構造。
【請求項７】
前記開口枠材の前記側面部に取り付けられている請求項１〜４のいずれか一項に記載のケーシング枠材の取付構造であって、
前記ケーシング枠材が、前記開口部に面して設けられた前記開口枠材の前記側面部に設けられており、
前記ケーシング枠材の前記差込部は、前記開口枠材の前記凹溝に差し込まれ、
前記ケーシング枠材の前記凸部は、前記壁の側面に向かって突出する向きに配置されていることを特徴とするケーシング枠材の取付構造。
【請求項８】
前記開口枠材の前記側面部に取り付けられている請求項５に記載のケーシング枠材の取付構造であって、
前記ケーシング枠材が、前記開口部に面して設けられた前記開口枠材の前記側面部に設けられており、
前記ケーシング枠材の前記差込部は、前記開口枠材の前記凹溝に差し込まれており、
前記ケーシング枠材の前記凸部は、前記切り離し部が前記凸部本体から切り離された状態となっており、前記切り離し部が切り離された前記凸部における前記凸部本体が、前記壁の側面に向かって突出する向きに配置されていることを特徴とするケーシング枠材の取付構造。
【請求項９】
請求項６〜８のいずれか一項に記載のケーシング枠材の取付構造において、
前記開口枠材は、当該開口枠材のうち前記開口部側に位置し、前記側面部よりも側方に突出する側方突出部を有しており、
前記側面部のうち前記側方突出部との境界に前記凹溝が形成されており、
前記開口枠材のうち前記壁側の面から前記側方突出部までの、厚み方向に沿う寸法と、前記ケーシング枠材の前記本体部における厚み寸法とが略等しく設定されていることを特徴とするケーシング枠材の取付構造。
【請求項１０】
請求項１〜５のいずれか一項に記載のケーシング枠材を、前記開口枠材の前記側面部に取り付ける方法であって、
前記建物の壁の表面に石膏ボードを貼り付けた後、
前記石膏ボードの上から、前記開口枠材を取り付けるとともに当該開口枠材の前記側面部に前記ケーシング枠材を取り付けることを特徴とするケーシング枠材の取付方法。 
【発明の詳細な説明】
【技術分野】
【０００１】
本発明は、ケーシング枠材、ケーシング枠材の取付構造及び取付方法に関する。
【背景技術】
【０００２】
特許文献１には、建物の内壁や外壁にはドアやサッシが設けられる開口部が形成され、その開口部の縁部に、一種類の略Ｔ字状断面の開口枠材と、一種類の略Ｌ字状断面の見附枠材と、を備えた開口枠（建具枠ともいう。）が取り付けられる技術が開示されている。
壁本体は、開口部を形成するために一直線上に間隔をあけて並べられたり、建物の間取りに応じて平面視Ｌ字状やＴ字状に並べられたり等、様々に配置されるが、壁本体の側面に取り付けられた石膏ボード等の耐火板と、開口枠材と、見附枠材の組み合わせ次第で、以上のような様々な壁本体の配置に対応できる。また、見附枠材の種類を複数用意する必要がなく、開口枠を構成する部品の点数を極力減らすことも可能となっている。
【先行技術文献】
【特許文献】
【０００３】
【特許文献１】特開２００３−３３６４５１号公報
【発明の概要】
【発明が解決しようとする課題】
【０００４】
ところが、従来の開口枠においては、耐火板と見附枠材の厚みを整合させたり、これら耐火板及び見附枠材の厚みと、略Ｔ字状断面の開口枠材における入隅部分との寸法を整合させたりしなければならず、寸法誤差や施工誤差に対応しにくい場合があった。
【０００５】
本発明は上記事情に鑑みてなされたものであり、寸法誤差や施工誤差を吸収することができるとともに、開口部の施工に係る部品点数を極力減らすことができるケーシング枠材、ケーシング枠材の取付構造及び取付方法を提供することを目的とする。
【課題を解決するための手段】
【０００６】
請求項１に記載の発明は、例えば図１〜図８に示すように、幅方向両側の側面部１１のうち少なくとも一方の側面部１１に、側方に開口する凹溝１１ａが形成された開口枠材１０が、建物の壁Ｗ１，Ｗ２，Ｗ３に形成された開口部２ａ，３ａ，４ａに面して設けられており、
前記開口枠材１０の前記側面部１１に取り付けられて当該開口枠材１０と共に前記開口部２ａ，３ａ，４ａの縁部の仕上げを行うケーシング枠材２０，４０において、
長さ方向に連続する同一断面となるように形成され、外部に部分的に露出する本体部２１，４１と、
前記本体部２１，４１から突出し、前記凹溝１１ａに差し込まれる差込部２２，４２と、
前記本体部２１，４１から、前記差込部２２，４２よりも短い寸法で突出する凸部２３，４３と、
を備えており、
前記差込部２２，４２の突出方向及び前記凸部２３，４３の突出方向は、前記本体部２１，４１の長さ方向に直交する方向であって、かつ、互いに直交する方向であり、
前記差込部２２は、当該差込部２２を前記本体部２１に対して撓ませるための弾性部を有していることを特徴とする。
【０００７】
請求項１に記載の発明によれば、差込部２２，４２は、当該差込部２２，４２を前記本体部２１，４１に対して撓ませるための弾性部を有しているので、開口部２ａ，３ａ，４ａの施工を行うにあたって、使用される各種部材に多少の寸法誤差があったり、施工誤差が生じたりしたとしても、差込部２２，４２が弾性変形することによって、その誤差を吸収することができる。
さらに、本体部２１が、長さ方向に連続する同一断面となっているので、例えば差込部２２，４２及び凸部２３，４３が本体部２１，４１の長さ方向に断続的に複数設けられるものであったとしても、ケーシング枠材２０，４０を左右の区別なく用意することができる。すなわち、ケーシング枠材２０，４０を、開口枠材１０における幅方向両側の側面部１１のどちらにも取り付けることができるので、開口枠材１０における幅方向一方側の側面部１１専用、幅方向他方側の側面部１１専用のケーシング枠材を用意する必要がなく、開口部２ａ，３ａ，４ａの施工に係る部品点数を極力減らすことができる。
また、差込部２２，４２よりも短い寸法で突出する凸部２３，４３を備えているため、複数の開口枠材１０同士が直交方向に隣り合う場合でも、隣り合う側面部１１同士のそれぞれの凹溝１１ａに差込部２２，４２と凸部２３，４３とが対応することになり、開口枠材１０同士を近接して設けることができる。
加えて、開口枠材１０が、一方の側面部１１がコーナー部７ｄに位置しないように設けられる場合でも、凸部２３，４３（４３ａ）が、差込部２２，４２よりも短い寸法で突出していることから、差込部２２，４２を一方の側面部１１における凹溝１１ａに差し込んで、凸部２３，４３（４３ａ）を壁Ｗ１，Ｗ２，Ｗ３の側面に向けることで、一方の側面部１１と壁Ｗ１，Ｗ２，Ｗ３の側面との間を化粧して意匠性を向上させることができる。しかも、凸部２３，４３（４３ａ）が壁Ｗ１，Ｗ２，Ｗ３の側面に当接した状態であっても、差込部２２，４２が弾性変形して、壁Ｗ１，Ｗ２，Ｗ３に向かって突出する凸部２３，４３（４３ａ）が支障とならないように、ケーシング枠材２０，４０を開口枠材１０における一方の側面部１１側に設けることができる。
【０００８】
請求項２に記載の発明は、例えば図２〜図４，図８に示すように、請求項１に記載のケーシング枠材において、
前記差込部２２，４２及び前記凸部２３，４３のそれぞれは、その突出方向と直交する方向の厚み寸法が、前記本体部２１，４１の厚み寸法よりも短く設定されていることを特徴とする。
【０００９】
請求項２に記載の発明によれば、差込部２２，４２及び凸部２３，４３のそれぞれは、その突出方向と直交する方向の厚み寸法が、本体部２１，４１の厚み寸法よりも短く設定され（すなわち、本体部２１，４１の厚み寸法よりも薄く設定され）、凸部２３，４３よりも差込部２２，４２の方が長く設定されているので、少なくとも差込部２２，４２は、本体部２１，４１よりも撓みやすくなっている。そのため、開口部２ａ，３ａ，４ａの施工を行うにあたって、使用される各種部材に多少の寸法誤差があったり、施工誤差が生じたりしたとしても、差込部２２，４２が弾性変形することによって、その誤差を吸収することができる。
【００１０】
請求項３に記載の発明は、例えば図２〜図４，図８に示すように、請求項１又は２に記載のケーシング枠材２０，４０において、
前記差込部２２，４２は、
前記凹溝１１ａ内の溝壁に密接する先端部２２ａ，４２ａと、
前記先端部２２ａ，４２ａよりも括れて厚み寸法の薄い状態に形成された基端部２２ｂ，４２ｂと、を有しており、前記基端部が前記弾性部として機能することを特徴とする。
【００１１】
請求項３に記載の発明によれば、差込部２２，４２が、凹溝１１ａ内の溝壁に密接する先端部２２ａ，４２ａを有するので、差込部２２，４２が凹溝１１ａに差し込まれた際のケーシング枠材２０，４０の開口枠材１０への取付状態を向上させることができる。すなわち、ケーシング枠材２０，４０を、開口枠材１０の側面部１１に確実に取り付けることができる。
さらに、差込部２２，４２が、先端部２２ａ，４２ａよりも括れて厚み寸法の薄い状態に形成された基端部２２ｂ，４２ｂを有しており、基端部２２ｂ，４２ｂが弾性部として機能するので、当該基端部２２ｂ，４２ｂの位置で差込部２２，４２が撓みやすい状態となる。そのため、寸法誤差や施工誤差を吸収しやすくなる。
【００１２】
請求項４に記載の発明は、例えば図２〜図４，図８に示すように、請求項１〜３のいずれか一項に記載のケーシング枠材２０，４０において、
前記差込部２２，４２及び前記凸部２３，４３は、前記本体部２１，４１のうち外部に露出する側面に沿って、かつ、前記本体部２１，４１との境界部位において面一な状態で設けられていることを特徴とする。
【００１３】
請求項４に記載の発明によれば、差込部２２，４２及び凸部２３，４３は、本体部２１，４１のうち外部に露出する側面に沿って、かつ、本体部２１，４１との境界部位において面一な状態で設けられているので、差込部２２，４２から本体部２１，４１にかけての部位と、凸部２３，４３から本体部２１，４１にかけての部位とが面一な状態に形成されることになる。これにより、これらの各部位は、差込部２２，４２が凹溝１１ａに差し込まれる際や凸部２３，４３が凹溝１１ａに入れられる際に、開口枠材１０における差込部２２，４２側の面と凸部２３，４３側の面に対して接触しながらスライド移動するためのガイドとして機能することになるので、ケーシング枠材２０，４０を開口枠材１０の側面部１１に取り付ける際の施工性を向上させることができる。
さらに、凸部２３，４３が、例えば凹溝１１ａに入れられずに外部側に配置された場合に、凸部２３，４３から本体部２１，４１にかけての部位を、壁Ｗ１，Ｗ２，Ｗ３の表面仕上げ材（壁仕上げ材８）の端部を貼り付けるための貼り代（シロ）として利用するので、表面仕上げ材８の端部の納まりが良くなる。
【００１４】
請求項５に記載の発明は、例えば図８に示すように、請求項１〜４のいずれか一項に記載のケーシング枠材４０において、
前記凸部４３は、
前記本体部４１に一体形成された凸部本体４３ａと、
前記凸部本体４３ａの先端に、当該凸部本体４３ａから切り離し可能に一体形成され、前記凹溝１１ａに差し込まれて前記凹溝１１ａ内の溝壁に接触する切り離し部４３ｂと、を有することを特徴とする。
【００１５】
請求項５に記載の発明によれば、凸部４３は、本体部４１に一体形成された凸部本体４３ａと、凸部本体４３ａの先端に、当該凸部本体４３ａから切り離し可能に一体形成され、凹溝１１ａに差し込まれて凹溝１１ａ内の溝壁に接触する切り離し部４３ｂと、を有するので、切り離し部４３ｂを凸部本体４３ａから切り離さない状態の凸部４３を、差込部４２より突出寸法は短いものの、差込部４２と同様に凹溝１１ａに差し込むことができる。これにより、差込部４２側に位置する開口枠材１０の凹溝１１ａに差込部４２を差し込むことができ、凸部４３側に位置する開口枠材１０の凹溝１１ａに差込部４２を差し込むことができるので、例えば差込部４２だけが開口枠材１０の凹溝１１ａに差し込まれる場合に比して、ケーシング枠材４０の取付状態を向上させることができる。また、凸部本体４３ａと切り離し部４３ｂとを有する凸部４３が、仮に、見た目にも撓みが生じていることが判るような、ある程度の突出寸法に設定されていれば、弾性変形が可能となるので、差込部４２と共に、寸法誤差や施工誤差の吸収に貢献できる。
一方、切り離し部４３ｂを凸部本体４３ａから切り離した状態では、切り離し部４３ｂを凸部本体４３ａから切り離さない状態よりも凸部４３の突出寸法を短くすることができる。そのため、例えばケーシング枠材４０を、凸部本体４３ａを開口枠材１０における側面部１１の凹溝１１ａに入れたり、凸部本体４３ａを壁の側面に向けて突出させた状態で配置したりすることができる。これにより、一種類のケーシング枠材４０によって複数の取付構造を実現することができるので汎用性に優れる。
【００１６】
請求項６に記載の発明は、例えば図１〜図３，図６，図８に示すように、前記開口枠材１０の前記側面部１１に取り付けられている請求項１〜４のいずれか一項に記載のケーシング枠材２０，４０の取付構造であって、
前記建物の壁Ｗ１，Ｗ２において隣接する一側面と他側面が、コーナー部７ｄを介して直交する方向に配置され、前記一側面側及び前記他側面側の双方に、互いに近接する前記開口部２ａ，３ａ，４ａが形成された状態となっており、
前記一側面側の前記開口部２ａ，３ａ，４ａに面する一方の前記開口枠材１０が、前記壁Ｗ１，Ｗ２の前記一側面に設けられ、前記他側面側の前記開口部２ａ，３ａ，４ａに面する他方の前記開口枠材１０が、前記壁Ｗ１，Ｗ２の前記他側面に設けられ、さらに前記一方の開口枠材１０と前記他方の開口枠材１０は、前記壁Ｗ１，Ｗ２の前記コーナー部７ｄに沿って互いに隣り合うようにして配置されており、
前記ケーシング枠材２０，４０は、前記壁Ｗ１，Ｗ２の前記コーナー部７ｄに沿って、かつ、前記一方の開口枠材１０における前記側面部１１と前記他方の開口枠材１０における前記側面部１１との間に位置するようにして設けられており、
前記ケーシング枠材２０，４０の前記差込部２２，４２は、前記一方の開口枠材１０の前記凹溝１１ａに差し込まれ、
前記ケーシング枠材２０，４０の前記凸部２３，４３は、前記他方の開口枠材１０の前記凹溝１１ａに入れられていることを特徴とする。
【００１７】
請求項６に記載の発明によれば、ケーシング枠材２０，４０は、壁Ｗ１，Ｗ２のコーナー部７ｄに沿って、かつ、一方の開口枠材１０における側面部１１と他方の開口枠材１０における側面部１１との間に位置するようにして設けられており、ケーシング枠材２０，４０の差込部２２，４２は、一方の開口枠材１０の凹溝１１ａに差し込まれ、ケーシング枠材２０，４０の凸部２３，４３は、他方の開口枠材１０の凹溝１１ａに入れられているので、ケーシング枠材２０，４０によって、一方の開口枠材１０における側面部１１と他方の開口枠材１０における側面部１１との間における隙間を埋めるようにして確実に設けられ、壁Ｗ１，Ｗ２のコーナー部７ｄを化粧することができる。
【００１８】
請求項７に記載の発明は、例えば図２，図３に示すように、前記開口枠材１０の前記側面部１１に取り付けられている請求項１〜４のいずれか一項に記載のケーシング枠材２０の取付構造であって、
前記ケーシング枠材２０が、前記開口部２ａ，３ａ，４ａに面して設けられた前記開口枠材１０の前記側面部１１に設けられており、
前記ケーシング枠材２０の前記差込部２２は、前記開口枠材１０の前記凹溝１１ａに差し込まれ、
前記ケーシング枠材２０の前記凸部２３は、前記壁Ｗ１，Ｗ２，Ｗ３の側面に向かって突出する向きに配置されていることを特徴とする。
【００１９】
請求項７に記載の発明によれば、ケーシング枠材２０が、開口部２ａ，３ａ，４ａに面して設けられた開口枠材１０の側面部１１に設けられており、ケーシング枠材２０の差込部２２は、開口枠材１０の凹溝１１ａに差し込まれ、ケーシング枠材２０の凸部２３は、壁Ｗ１，Ｗ２，Ｗ３の側面に向かって突出する向きに配置されているので、ケーシング枠材２０を、一方の開口枠材１０における側面部１１と他方の開口枠材１０における側面部１１との間に必ずしも設ける必要はなく、少なくとも片側に隣り合う開口枠材１０がない状態で設けられた開口枠材１０の、隣り合う開口枠材１０がない側の側面部１１に設けることができる。そのため、互いに隣り合う開口枠材１０の側面部１１間に設けられるケーシング枠材２０と、少なくとも片側に隣り合う開口枠材１０がない状態で設けられた開口枠材１０の側面部１１に設けられるケーシング枠材２０とを共通化することができ、開口部２ａ，３ａ，４ａの施工に係る部品点数を極力減らすことができる。
さらに、ケーシング枠材２０の凸部２３は、壁Ｗ１，Ｗ２，Ｗ３の側面に向かって突出する向きに配置されているので、凸部２３が壁Ｗ１，Ｗ２，Ｗ３の側面に接する場合は、少なくとも差込部２２が弾性変形した状態で凹溝１１ａ内に差し込まれて、本体部２１が壁Ｗ１，Ｗ２，Ｗ３の側面から離れる方向に傾いた状態で開口枠材１０の側面部１１に設けられる。そのため、差込部２２が凹溝１１ａから抜けにくい状態となるようにケーシング枠材２０を開口枠材１０の側面部１１に設けることができるので、ケーシング枠材２０の開口枠材１０の側面部１１への取付状態を良好にすることができる。
【００２０】
請求項８に記載の発明は、例えば図３，図８に示すように、前記開口枠材１０の前記側面部１１に取り付けられている請求項５に記載のケーシング枠材４０の取付構造であって、
前記ケーシング枠材４０が、前記開口部２ａ，３ａ，４ａに面して設けられた前記開口枠材１０の前記側面部１１に設けられており、
前記ケーシング枠材４０の前記差込部４２は、前記開口枠材１０の前記凹溝１１ａに差し込まれており、
前記ケーシング枠材４０の前記凸部４３は、前記切り離し部４３ｂが前記凸部本体４３ａから切り離された状態となっており、前記切り離し部４３ｂが切り離された前記凸部４３における前記凸部本体４３ａが、前記壁Ｗ１，Ｗ２，Ｗ３の側面に向かって突出する向きに配置されていることを特徴とする。
【００２１】
請求項８に記載の発明によれば、ケーシング枠材４０が、開口部２ａ，３ａ，４ａに面して設けられた開口枠材１０の側面部１１に設けられており、ケーシング枠材４０の差込部４２は、開口枠材１０の凹溝１１ａに差し込まれており、ケーシング枠材４０の凸部４３は、切り離し部４３ｂが凸部本体４３ａから切り離された状態となっており、切り離し部４３ｂが切り離された凸部４３における凸部本体４３ａが、壁Ｗ１，Ｗ２，Ｗ３の側面に向かって突出する向きに配置されているので、ケーシング枠材４０を、一方の開口枠材１０における側面部１１と他方の開口枠材１０における側面部１１との間に必ずしも設ける必要はなく、少なくとも片側に隣り合う開口枠材１０がない状態で設けられた開口枠材１０の、隣り合う開口枠材１０がない側の側面部１１に設けることができる。そのため、互いに隣り合う開口枠材１０の側面部１１間に設けられるケーシング枠材４０と、少なくとも片側に隣り合う開口枠材１０がない状態で設けられた開口枠材１０の側面部１１に設けられるケーシング枠材４０とを共通化することができ、開口部２ａ，３ａ，４ａの施工に係る部品点数を極力減らすことができる。
さらに、ケーシング枠材４０の凸部４３における凸部本体４３ａは、壁Ｗ１，Ｗ２，Ｗ３の側面に向かって突出する向きに配置されているので、凸部本体４３ａが壁Ｗ１，Ｗ２，Ｗ３の側面に接する場合は、少なくとも差込部４２が弾性変形した状態で凹溝１１ａ内に差し込まれて、本体部４１が壁Ｗ１，Ｗ２，Ｗ３の側面から離れる方向に傾いた状態で開口枠材１０の側面部１１に設けられる。そのため、差込部４２が凹溝１１ａから抜けにくい状態となるようにケーシング枠材４０を開口枠材１０の側面部１１に設けることができるので、ケーシング枠材４０の開口枠材１０の側面部１１への取付状態を良好にすることができる。
【００２２】
請求項９に記載の発明は、例えば図２，図３，図８に示すように、請求項６〜８のいずれか一項に記載のケーシング枠材２０，４０の取付構造において、
前記開口枠材１０は、当該開口枠材１０のうち前記開口部２ａ，３ａ，４ａ側に位置し、前記側面部１１よりも側方に突出する側方突出部１２を有しており、
前記側面部１１のうち前記側方突出部１２との境界に前記凹溝１１ａが形成されており、
前記開口枠材１０のうち前記壁Ｗ１，Ｗ２，Ｗ３側の面から前記側方突出部１２までの、厚み方向に沿う寸法と、前記ケーシング枠材２０，４０の前記本体部２１，４１における厚み寸法とが略等しく設定されていることを特徴とする。
【００２３】
請求項９に記載の発明によれば、側面部１１のうち側方突出部１２との境界に凹溝１１ａが形成されており、開口枠材１０のうち壁Ｗ１，Ｗ２，Ｗ３側の面から側方突出部１２までの、厚み方向に沿う寸法と、ケーシング枠材２０，４０の本体部２１，４１における厚み寸法とが略等しく設定されているので、差込部２２，４２が凹溝１１ａに差し込まれた状態のケーシング枠材２０，４０における本体部２１，４１を、側面部１１と側方突出部１２とで形成される入隅部分に納まり良く設けることができる。
【００２４】
請求項１０に記載の発明は、例えば図２，図３，図８に示すように、請求項１〜５のいずれか一項に記載のケーシング枠材２０，４０を、前記開口枠材１０の前記側面部１１に取り付ける方法であって、
前記建物の壁Ｗ１，Ｗ２，Ｗ３の表面に石膏ボード７ａ，７ｂ，７ｃを貼り付けた後、
前記石膏ボード７ａ，７ｂ，７ｃの上から、前記開口枠材１０を取り付けるとともに当該開口枠材１０の前記側面部１１に前記ケーシング枠材２０，４０を取り付けることを特徴とする
【００２５】
請求項１０に記載の発明によれば、建物の壁Ｗ１，Ｗ２，Ｗ３の表面に石膏ボード７ａ，７ｂ，７ｃを貼り付けた後、その石膏ボード７ａ，７ｂ，７ｃの上から、開口枠材１０を取り付けるとともに当該開口枠材１０の側面部１１にケーシング枠材２０，４０を取り付けるので、石膏ボード７ａ，７ｂ，７ｃによって壁Ｗ１，Ｗ２，Ｗ３の表面を隙間なく覆った後から、開口枠材１０とケーシング枠材２０，４０の施工を行うことができる。そのため、石膏ボード７ａ，７ｂ，７ｃによって切れ目のない耐火ラインを形成しつつ、開口枠材１０とケーシング枠材２０，４０を建物の壁Ｗ１，Ｗ２，Ｗ３に確実に取り付けることができる。さらに、ケーシング枠材２０，４０を側面部１１に取り付けるにあたって、石膏ボード７ａ，７ｂ，７ｃの取付態様を考慮する必要がないので、施工性の向上を図ることもできる。
【発明の効果】
【００２６】
本発明によれば、寸法誤差や施工誤差を吸収することができるとともに、開口部の施工に係る部品点数を極力減らすことができる。
【図面の簡単な説明】
【００２７】
【図１】二つの開口部が設けられた建物の壁を示す斜視図である。
【図２】第一ケーシング枠材及び第二ケーシング枠材の取付構造を示す断面図である。
【図３】第一ケーシング枠材及び第二ケーシング枠材の取付構造を示す断面図である。
【図４】第一ケーシング枠材を示す断面図である。
【図５】第二ケーシング枠材を示す断面図である。
【図６】三つの開口部が設けられた建物の壁を示す斜視図である。
【図７】一つの開口部が設けられた建物の壁を示す斜視図である。
【図８】第一ケーシング枠材の取付構造の変形例を示す断面図である。
【発明を実施するための形態】
【００２８】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２９】
［建物の壁及び開口部について］
図１において符号Ａ，Ｂ，Ｃは、建物の屋内空間に形成された複数の領域又は屋外空間そのものである屋外領域を示す。これら複数の領域Ａ，Ｂ，Ｃは、複数の壁体１，２，３によって構成された建物の壁Ｗ１によって領域分けされている。
建物の壁Ｗ１は、屋内空間に設けられる内壁のみによって構成されるか、内壁と屋外空間に面して設けられる外壁を含んで構成されるものである。
このような壁Ｗ１は、第一壁体１と、当該第一壁体１に対して直交する方向に設けられた第二壁体２と、第一壁体１と同一方向に設けられるとともに第二壁体２に対して直交する方向に設けられた第三壁体３と、を備え、平面視において略Ｔ字状に形成されている。
【００３０】
領域Ａは、第一壁体１と第二壁体２との間の空間を指し、領域Ｂは、第二壁体２と第三壁体３との間の空間を指し、領域Ｃは、第一壁体１及び第三壁体３の、領域Ａ及び領域Ｂとは反対側の空間を指す。
各領域Ａ，Ｂ，Ｃの指す空間は、例えば、建物内における居室や廊下等の部屋又は屋外空間であり、特に限定されるものではない。
【００３１】
第一壁体１は、開口部が形成されていない壁体とされている。第一壁体１の幅方向（第一壁体１を平面視した場合における長手方向を指す。）における側端部の、領域Ａ側面に、第二壁体２が連結されている。第一壁体１の幅方向における側端面に、第三壁体３が連結されている。
【００３２】
第二壁体２には、当該第二壁体２を挟む領域Ａと領域Ｂとの間を空間的に接続する開口部２ａが形成されている。
第三壁体３には、当該第三壁体３を挟む領域Ｂと領域Ｃとの間を空間的に接続する開口部３ａが形成されている。
本実施形態における開口部２ａ，３ａは、人の出入りを想定した出入口用の開口部とされているが、これに限られるものではなく、人の出入りが想定されていない腰高窓などの各種窓であってもよい。なお、人の出入りを想定した出入口用の開口部としては、例えば、掃き出し窓や、部屋と廊下の間や部屋と部屋の間などに設けられた出入口が挙げられる。
また、開口部２ａ，３ａが、屋外空間に向かって開放された開口部である場合、後述する開口枠材１０は、幅方向に半分に切断された状態で開口部２ａ，３ａの縁部のうち屋内側に設けられ、屋外側には窓サッシが設けられる。
【００３３】
本実施形態においては、壁Ｗ１は、屋内空間に設けられる内壁のみによって構成されるものとされ、第一壁体１、第二壁体２、第三壁体３は、内壁とされている。内壁であるこれらの壁体１，２，３は、建物の床Ｆ上に立設されている。
また、開口部２ａ，３ａは、部屋と廊下の間や部屋と部屋の間などに設けられた出入口用の開口部とされている。開口部２ａの上方には、第二壁体２の一部である小壁２ｂが設けられ、開口部３ａの上方には、第三壁体３の一部である小壁３ｂが設けられている。
これを踏まえ、本実施形態における開口部２ａは、小壁２ｂを含む第二壁体２と、第一壁体１の幅方向における側端部と、建物の床Ｆによって構成されている。
また、本実施形態における開口部３ａも、小壁３ｂを含む第三壁体３と、第一壁体１の幅方向における側端面と、建物の床Ｆによって構成されている。
開口部２ａの縁部は、第二壁体２の厚み（第二壁体２を平面視した場合における短手方向を指す。）に対応している。開口部３ａの縁部も同様に、第三壁体３（第三壁体３を平面視した場合における短手方向を指す。）の厚みに対応しているとともに、第一壁体１の厚みにも対応している。
【００３４】
第一壁体１は、図２，図３に示すように、壁パネル６を本体壁部として構成されている。より詳細に説明すると、第一壁体１は、本体壁部としての壁パネル６と、領域Ａ側及び領域Ｃ側の側面と幅方向における側端面とに取り付けられた石膏ボード７ａ，７ｂ，７ｃと、を備えて構成されている。
壁パネル６は、縦横の框材が矩形状に組み立てられるとともに、矩形枠の内部に補助桟材が縦横に組み付けられて枠体６ａが構成され、この枠体６ａの両面に、面材６ｂが貼設されたものであり、内部中空な構造となっている。さらに、その内部中空な部分には、通常、グラスウールやロックウール等の断熱材が装填される。
また、壁パネル６は、寸法調整や各種部材の取付下地として調整材６ｃを適宜備える。本実施形態においては、壁パネル６の開口部３ａ側端面に、角材からなる調整材６ｃが取り付けられており、当該調整材６ｃの開口部３ａ側端面に石膏ボード７ｃが取り付けられ、領域Ａ側及び領域Ｃ側の側面には、石膏ボード７ａ，７ｂが取り付けられている。これら石膏ボード７ａ，７ｂの出隅部分は、第一壁体１の一側面と他側面が交わるコーナー部７ｄとされている。このコーナー部７ｄの位置に、後述する第一ケーシング枠材２０、第二ケーシング枠材３０が配置される。なお、各壁体１，２，３が形成されるにあたって石膏ボードが用いられない場合も、当然、各壁体１，２，３の各々の一側面と他側面が交わる位置の出隅部分が、コーナー部７ｄに相当するコーナー部とされることは言うまでもない。
以上のようにして第一壁体１は構成されており、その表面には、後述する開口枠材１０が取り付けられるとともに、壁仕上げ材８（本実施形態においては壁クロス）が設けられている。
図示はしないが、第二壁体２及び第三壁体３も、第一壁体１と同様に、壁パネルを本体壁部として構成されたものであり、調整材が適宜用いられており、表面には石膏ボードが取り付けられ、さらに開口枠材、壁仕上げ材が設けられる。
【００３５】
図３は、寸法調整等のための薄板状の調整材６ｄが、開口部２ａ側の開口枠材１０と、石膏ボード７ｂとの間に設けられた状態を示している。そのため、開口枠材１０が、調整材６ｄの厚さ寸法分だけ、第二壁体２に寄せられて配置されている。その他の納まりは、図２の状態と同一であり、説明は省略する。
【００３６】
なお、本実施形態における建物は、壁Ｗ１を含む壁や床Ｆ、屋根（図示せず）といった建物の構成要素を予め工場にてパネル化しておき、施工現場でこれらのパネルを組み立てて構築するパネル工法で構築されている。ただし、これに限られるものではなく、従来の軸組工法や壁式工法の木造、鉄骨造、鉄筋コンクリート造等の建物であってもよい。
【００３７】
以上のような開口部２ａ，３ａに面して、開口枠材１０が設けられている。開口枠材１０は、開口部２ａ，３ａにおける縁部の仕上げ材として設けられており、必要に応じて、ドアや窓用障子等の建具が設けられる。
ドア等の建具が設けられる場合、開口枠材１０には、建具の開閉方式に応じて必要な部材が適宜取り付けられる。建具の開閉方式が、開き戸形式である場合は、蝶番や枢等の回転軸となる部材や戸当たりが開口枠材１０又は床Ｆ・各壁体１，２，３に対して取り付けられる。建具の開閉方式が、引き戸形式である場合は、建具がスライドするレールが開口枠材１０又は床Ｆ・各壁体１，２，３に対して取り付けられる。
【００３８】
開口枠材１０は、断面視において略Ｔ字状に、かつ長さ方向に同一断面を有するように形成された板状体であり、開口部２ａ，３ａの縁部のうち、床Ｆ側の縁部を除く縁部にそれぞれ取り付けられている。
より具体的に説明すると、開口部２ａにおいては、第一壁体１の幅方向における側端部の領域Ａ側面と、第二壁体２を構成する小壁２ｂの下面と、小壁２ｂ下の第二壁体２の幅方向における側端面と、に対して開口枠材１０が取り付けられている。
開口部３ａにおいては、第一壁体１の幅方向における側端面と、第三壁体３を構成する小壁３ｂの下面と、第三壁体３の幅方向における側端面と、に対して開口枠材１０が取り付けられている。
なお、各壁体１，２，３に対して垂直に設けられた開口枠材１０と、小壁２ｂ，３ｂの下面に水平に設けられた開口枠材１０との取り合いは、図示はしないが、長さ方向側端部同士を、側面視において斜め４５度に切断加工し、直角に納まるように設定されている。
【００３９】
以上のような開口枠材１０は、木製でもよいし、樹脂製でもよいし、木材と樹脂とを混錬・溶融させて押出成形された木質様成形品などから構成されてもよい。本実施形態においては、木製の開口枠材１０が採用されており、その表面のうち少なくとも設置後に可視となる部分に、化粧シート１３が一体的に貼り付けられている（図８参照。）。
化粧シート１３の素材は特に限定されるものではないが、本実施形態においてはオレフィン系シートが一体的に貼り付けられている。このような化粧シート１３の表面には、例えば木目模様や、第一ケーシング枠材２０及び第二ケーシング枠材３０の表面に貼り付けられた化粧シート２４，３４の意匠・装飾を考慮した意匠・装飾が施されているものとする。
【００４０】
開口枠材１０の幅方向（長さ方向と直交し、かつ厚さ方向と直交する方向を指す。）両側の側面部１１には、側方に開口する凹溝１１ａが形成されている。さらに、開口枠材１０は、当該開口枠材１０のうち開口部２ａ，３ａ側に位置し、側面部１１よりも側方に突出する側方突出部１２を有している。凹溝１１ａは、側面部１１のうち側方突出部１２との境界に形成されている。
すなわち、開口枠材１０は、開口部２ａ，３ａに近い方から、側方突出部１２、凹溝１１ａ、側面部１１のうちの凹溝１１ａが形成されていない部位と並ぶように構成されている。これら側方突出部１２、凹溝１１ａ、側面部１１のうちの凹溝１１ａが形成されていない部位の並び方向は、開口枠材１０の厚み方向と同一である。
開口枠材１０における幅方向両側の側面部１１同士間の寸法は、壁Ｗ１を構成する第一壁体１、第二壁体２、第三壁体３の厚み寸法と略等しく設定されている。そのため、側面部１１と壁Ｗ１の側面は面一の状態となる。
また、側方突出部１２は、側面部１１よりも側方に突出するものであるため、開口枠材１０が、各壁体１，２，３の側端面に設けられた場合には、壁Ｗ１の側面よりも側方に突出する状態となる。なお、本実施形態においては、開口枠材１０が当該側方突出部１２を有するものとしたが、側方突出部１２のない開口枠材を用いてもよい。すなわち、側面部の中央付近に凹溝が形成された構成の開口枠材を用いてもよい。
なお、開口部２ａ，３ａが、上述したように、屋外空間に向かって開放された開口部である場合は、凹溝１１ａ及び側方突出部１２は、屋内側にのみ設けられる。
【００４１】
［第一ケーシング枠材について］
図２，図３に示す例において、開口枠材１０の側面部１１には、当該開口枠材１０と共に開口部２ａ，３ａの縁部の仕上げを行う第一ケーシング枠材２０が取り付けられる。第一ケーシング枠材２０は、開口枠材１０と共に開口部２ａ，３ａの縁部の仕上げを行うため、開口枠材１０に対応した長さに設定されている。
第一ケーシング枠材２０は、図４に示すように、本体部２１と、差込部２２と、凸部２３と、を備えるとともに、長さ方向に連続する同一断面となっている。本実施形態における第一ケーシング枠材２０は、樹脂製の押出成型品とされている。そのため、長さ方向に連続する同一断面を有する。
差込部２２の突出方向及び凸部２３の突出方向は、本体部２１の長さ方向に直交する方向であって、かつ、互いに直交する方向とされている。
【００４２】
本体部２１は、第一ケーシング枠材２０のうち最も大きい部位とされており、開口枠材１０の側面部１１に設けられた際に、外部に部分的に露出する。
また、本体部２１は、筒状に形成されて中空部２１ａを有している。そのため、この本体部２１は、長さ方向と直交する方向に弾性変形しやすくなっている。なお、第一ケーシング枠材２０は、上述のように押出成型品であるため、長さ方向に連続する同一断面となっているが、これに限られるものではなく、少なくとも本体部２１が、長さ方向に連続する同一断面となっていればよい。
さらに、本体部２１は、角が面取りされたように形成された部位（以下、面取り部２１ｂと呼称する。）を有している。面取り部２１ｂは、第一ケーシング枠材２０が開口枠材１０の側面部１１に設けられる際に、壁Ｗ１側に向けて設けられる。これにより、例えば第一ケーシング枠材２０が壁Ｗ１（例えば第一壁体１）に近接して設けられた場合に、面取り部２１ｂが、壁Ｗ１や開口枠材１０の側面部１１に接触しにくくなるため、第一ケーシング枠材２０が想定していた設置位置からずれにくくなるという利点がある。
なお、本体部２１における、面取り部２１ｂと対角に位置する角部２１ｃも、面取り部２１ｂよりも小さい面積で面取りされた状態になっている。当該角部２１ｃは、外部に露出する部分の略中央に位置する箇所であり、このように面取りされていることで、意匠性の向上や触り心地の良さを向上させることができるようになっている。
【００４３】
また、開口枠材１０のうち壁Ｗ１側の面から側方突出部１２までの、開口枠材１０の厚み方向に沿う寸法と、第一ケーシング枠材２０の本体部２１における厚み寸法とが略等しく設定されている。すなわち、本体部２１における厚み寸法は、開口枠材１０における側面部１１と側方突出部１２とで形成される入隅部分の隙間に対応している。さらに換言すれば、開口枠材１０が、壁Ｗ１に取り付けられた際の、壁Ｗ１の表面又は隣り合う開口枠材１０の側面部１１から側方突出部１２までの間の間隔寸法が、第一ケーシング枠材２０における本体部２１の厚み寸法と略等しく設定されている。
なお、断面視した場合における本体部２１は、面取り部２１ｂや角部２１ｃを考慮せずに見た場合に正方形となるように形成されている。すなわち、正方形の１つの角部を面取りした部位が上記の面取り部２１ｂであり、その対角の面取りした部位が上記の角部２１ｃとされている。そして、差込部２２が設けられた辺とその対辺までの厚み寸法と、凸部２３が設けられた辺とその対辺までの厚み寸法は等しく設定されている。そのため、第一ケーシング枠材２０を開口枠材１０の側面部１１に設ける際に、第一ケーシング枠材２０の向きにかかわらず、その本体部２１の厚み寸法は、開口枠材１０における側面部１１と側方突出部１２とで形成される入隅部分の隙間に対応していることとなる。
このように開口枠材１０のうち壁Ｗ１側の面から側方突出部１２までの、厚み方向に沿う寸法と、第一ケーシング枠材２０の本体部２１における厚み寸法とが略等しく設定されることで、本体部２１を、開口枠材１０における側面部１１と側方突出部１２とで形成される入隅部分にぴったりと納めることができるようになっている。
【００４４】
差込部２２は、本体部２１から突出し、凹溝１１ａに差し込まれる部位である。第一ケーシング枠材２０が、開口枠材１０の側面部１１に設けられる際は、この差込部２２が、側面部１１の凹溝１１ａに対して必ず差し込まれ、これにより、第一ケーシング枠材２０を開口枠材１０の側面部１１に設けることができる。
このような差込部２２は、凹溝１１ａ内の溝壁に密接する先端部２２ａと、先端部２２ａよりも括れて厚み寸法（差込部２２の長手方向と直交し、かつ先端部２２ａと基端部２２ｂの並び方向とも直交する方向の寸法を指す。）の薄い状態に形成された基端部２２ｂと、を有する。
なお、この差込部２２は、本実施形態においては、本体部２１と共に長さ方向に連続する同一断面となっているが、これに限られるものではなく、本体部２１の長さ方向に断続的に設けられるものであってもよい。
【００４５】
先端部２２ａの表面には凹凸形状が形成されている。より具体的に説明すると、図２〜図４に示すように、一面側には凸形状が２つあり、凹形状が２つある。他面側には凸形状が３つあり、凹形状が２つある。一面側の凸形状と、他面側の凸形状との間の間隔寸法が、先端部２２ａの厚み寸法とされており、この厚み寸法が、基端部２２ｂの厚み寸法よりも長く（厚く）設定されている。
凸形状は、差込部２２を凹溝１１ａに差し込んだ際に、凹溝１１ａ内の溝壁に密着して接する。すなわち、凹溝１１ａにおける一方の溝壁と他方の溝壁との間の溝幅は、先端部２２ａの厚み寸法よりも若干短いか、略等しく設定されている。なお、凹溝１１ａの溝深さは、差込部２２の本体部２１からの突出寸法よりも長く設定されている。
差込部２２を凹溝１１ａに差し込む際は、必要に応じて接着剤を使用してもよい。その場合、先端部２２ａにおける凹形状の部位が接着剤溜まりとなり、凹溝１１ａ内の溝壁への接着性を高めることができる。つまり、凹形状の部位に溜まった状態の接着剤が固化した場合には、接着剤を介して先端部２２ａが凹溝１１ａに食い込んだような状態となる。そのため、差込部２２を、凹溝１１ａに対して強固に固定でき、開口枠材１０と第一ケーシング枠材２０との一体性が高まるので、第一ケーシング枠材２０を開口枠材１０の側面部１１に対して確実に固定することができる。
【００４６】
基端部２２ｂは、本体部２１から真っ直ぐに突出する部位と、先端部２２ａに向かって僅かに曲がる部位と、によって概略的に構成されている。当該曲がる部位の先に、先端部２２ａが一体形成されている。このような基端部２２ｂは、先端部２２ａよりも括れて厚み寸法の薄い状態に形成されているので、差込部２２は、この基端部２２ｂの位置で撓みやすい状態となる。また、単に括れているだけでなく、先端部２２ａに向かって僅かに曲がった状態となっているので弾性力が高まる。
このような基端部２２ｂが、差込部２３を本体部２１に対して撓ませるための弾性部として機能するようになっている。
【００４７】
凸部２３は、本体部２１から、差込部２２よりも短い寸法で突出する部位である。凸部２３の突出寸法は、差込部２２の突出寸法に比して極めて短く、“寸法の短い突起”、“寸法の短い出っ張り”、又は“膨らみ”程度に認識されるものであって、断面視において丸みを帯びている。その表面には、化粧シート２４が一体的に貼り付けられている。
なお、この凸部２３は、本実施形態においては、本体部２１と共に長さ方向に連続する同一断面となっているが、これに限られるものではなく、本体部２１の長さ方向に断続的に設けられるものであってもよい。
差込部２２と凸部２３とが本体部２１の長さ方向に断続的に設けられる場合、隣り合う差込部２２間のピッチと隣り合う凸部２３間のピッチは、略等しく設定されてもよいし、異なるピッチで設けられるようにしてもよい。
【００４８】
差込部２２及び凸部２３のそれぞれは、その突出方向と直交する方向の厚み寸法が、本体部２１の厚み寸法よりも短く設定されている。すなわち、差込部２２及び凸部２３の厚みは、本体部２１の厚みよりも薄く設定されている。
また、これら差込部２２及び凸部２３は、本体部２１のうち外部に露出する側面に沿って、かつ、本体部２１との境界部位において面一な状態で設けられている。より詳細に説明すると、本体部２１と差込部２２と凸部２３は、一体形成されているものであり、差込部２２及び凸部２３は、本体部２１の外部に露出する側に寄せて配置されている。本体部２１は、上述のように筒状に形成されて中空部２１ａを有し、この中空部２１ａを構成する壁のうち角部２１ｃを介して直交する２つの壁のそれぞれの直線上に差込部２２と凸部２３とが位置している。角部２１ｃを介して直交する２つの壁の一方と差込部２２の基端部２２ｂは、外部に露出する側の面が面一の状態となっており、角部２１ｃを介して直交する２つの壁の他方と凸部２３は、外部に露出する側の面が面一の状態となっている。換言すれば、本体部２１と、差込部２２及び凸部２３との間には段差が生じないようになっている。
【００４９】
本体部２１における外部に露出する部分には、化粧シート２４が一体的に貼り付けられている。本体部２１の角部２１ｃや凸部２３も外部に露出する部分となるため、この化粧シート２４によって被覆されている。本実施形態においては、差込部２２の基端部２２ｂも僅かに化粧シート２４によって被覆されている。
また、上述のように、本体部２１と、差込部２２及び凸部２３との間には段差が生じないようになっているので、化粧シート２４を一体的に貼り付けやすく、かつ見栄えもよい。
なお、化粧シート２４の素材は特に限定されるものではないが、本実施形態においてはオレフィン系シートが一体的に貼り付けられている。このような化粧シート２４の表面には、例えば木目模様や、開口枠材１０の表面に貼り付けられた化粧シート１３の意匠・装飾を考慮した意匠・装飾が施されているものとする。
【００５０】
以上のような第一ケーシング枠材２０は、上述したように、長さ方向に連続する同一断面を有するため、長さ方向一方側の端部の位置と他方側の端部の位置とを逆転させて配置すれば、差込部２２及び凸部２３の向きも、それぞれ正反対となる。そのため、左右の区別なく用意することができ、１種類の第一ケーシング枠材２０を２つ用意すれば、開口枠材１０における幅方向両側の側面部１１に形成された双方の凹溝１１ａに対して対称的な向きで差込部２２を差し込むことができる。
なお、第一ケーシング枠材２０は、本体部２１が筒状に形成されているため、第一ケーシング枠材２０の長さ方向両端部は開口している状態となっている。そのため、第一ケーシング枠材２０の長さ方向両端部には、開口を閉塞するためのキャップ部材（図示せず）が設けられる。
【００５１】
［第二ケーシング枠材について］
図２，図３に示す例において、開口枠材１０の側面部１１には、当該開口枠材１０と共に開口部３ａの縁部の仕上げを行う第二ケーシング枠材３０が取り付けられる。第二ケーシング枠材３０は、開口枠材１０と共に開口部３ａの縁部の仕上げを行うため、開口枠材１０に対応した長さに設定されている。
このような第二ケーシング枠材３０は、第一ケーシング枠材２０とは異なり、開口枠材１０における側面部１１と側方突出部１２とで形成される入隅部分にぴったりと納まるものではなく、側面部１１から壁Ｗ１の側面に向かってはみ出すように形成されている。すなわち、第二ケーシング枠材３０の幅寸法は、第一ケーシング枠材２０の幅寸法よりも幅広に設定されている。
また、第二ケーシング枠材３０は、図５に示すように、本体部３１と、差込部３２と、を備えるとともに、長さ方向に連続する同一断面となっている。本実施形態における第二ケーシング枠材３０は、樹脂製の押出成型品とされている。そのため、長さ方向に連続する同一断面を有する。
【００５２】
本体部３１は、第二ケーシング枠材３０のうち最も大きい部位とされており、開口枠材１０の側面部１１に設けられた際に、大部分が外部に露出する。
また、本体部３１は、筒状に形成されて中空部３１ａを有している。そのため、この本体部３１は、長さ方向と直交する方向に弾性変形しやすくなっている。
さらに、本体部３１は、外部に突出する側の２つの角部が面取りされたように形成されている部分を有するが、全体的には断面視略矩形筒状に形成されている。当該２つの角部は、外部に露出して最も外部側に突出した部分であることから、意匠性の向上や触り心地の良さを向上させるために面取りされた状態となっている。
また、本体部３１は、中空部３１ａ内の中央に向かって突出するリブ３１ｂを有している。リブ３１ｂは、本体部３１の長さ方向に沿って長尺に形成されており、本体部３１の剛性を高めることができる。
【００５３】
本体部３１は、本体部３１の側面のうち外部に露出しない側面を有する。この側面は、第二ケーシング枠材３０が開口枠材１０の側面部１１に設けられた際に、壁Ｗ１側に位置するため、以下、壁側面３１ｃと呼称する。
壁側面３１ｃには、本体部３１の長さ方向に沿って長尺な凹凸形状が形成されている。壁側面３１ｃは、開口枠材１０の側面部１１と壁Ｗ１の側面に跨って設けられ、開口枠材１０の側面部１１と壁Ｗ１の側面に対して接する。そのため、壁側面３１ｃの凹凸形状は、開口枠材１０の側面部１１と壁Ｗ１の側面に対する滑り止めとして機能する。また、壁側面３１ｃには、必要に応じて接着剤を塗布してもよく、その場合、壁側面３１ｃの凹凸形状における凹形状の部位が接着剤溜まりとなり、開口枠材１０の側面部１１と壁Ｗ１の側面への接着性を高めることができる。つまり、凹形状の部位に溜まった状態の接着剤が固化した場合には、接着剤を介して壁側面３１ｃが、開口枠材１０の側面部１１と壁Ｗ１の側面に食い込んだような状態となる。そのため、本体部３１を、開口枠材１０の側面部１１と壁Ｗ１の側面に対して強固に固定でき、開口枠材１０と第二ケーシング枠材３０との一体性が高まるので、第二ケーシング枠材３０を開口枠材１０の側面部１１に対して確実に固定することができる。
【００５４】
差込部３２は、本体部３１における壁側面３１ｃの側縁部から突出し、凹溝１１ａに差し込まれる部位である。差込部３２の突出方向は、壁側面３１ｃの面方向と直交し、かつ、本体部３１の長さ方向に直交する方向である。第二ケーシング枠材３０が、開口枠材１０の側面部１１に設けられる際は、この差込部３２が、側面部１１の凹溝１１ａに対して必ず差し込まれ、これにより、第二ケーシング枠材３０を開口枠材１０の側面部１１に設けることができる。
このような差込部３２は、凹溝１１ａ内の溝壁に密接する先端部３２ａと、先端部３２ａよりも括れて厚み寸法（差込部３２の長手方向と直交し、かつ先端部３２ａと基端部３２ｂの並び方向とも直交する方向の寸法を指す。）の薄い状態に形成された基端部３２ｂと、を有する。
【００５５】
先端部３２ａの表面には凹凸形状が形成されている。より具体的に説明すると、図２，図３，図５に示すように、一面側と他面側には凸形状が２つあり、凹形状が２つある。一面側の凸形状と、他面側の凸形状との間の間隔寸法が、先端部３２ａの厚み寸法とされており、この厚み寸法は、基端部３２ｂの厚み寸法よりも長く（厚く）設定されている。
凸形状は、差込部３２を凹溝１１ａに差し込んだ際に、凹溝１１ａ内の溝壁に密着して接する。すなわち、凹溝１１ａにおける一方の溝壁と他方の溝壁との間の溝幅は、先端部３２ａの厚み寸法よりも若干短いか、略等しく設定されている。なお、凹溝１１ａの溝深さは、差込部３２の本体部３１からの突出寸法よりも長く設定されている。
差込部３２を凹溝１１ａに差し込む際は、必要に応じて接着剤を使用してもよい。その場合、先端部３２ａにおける凹形状の部位が接着剤溜まりとなり、凹溝１１ａ内の溝壁への接着性を高めることができる。
【００５６】
基端部３２ｂは、先端部３２ａよりも括れて厚み寸法の薄い状態に形成されている。そのため、差込部３２は、この基端部３２ｂの位置で撓みやすい状態となる。
【００５７】
本体部３１における外部に露出する部分には、化粧シート３４が一体的に貼り付けられている。本実施形態においては、壁側面３１ｃのうち、凹凸形状が形成された部位まで至らない範囲で化粧シート３４が貼り付けられている。
なお、化粧シート３４の素材は、第一ケーシング枠材２０における化粧シート２４と同様のものであり、表面に、例えば木目模様や、開口枠材１０の表面に貼り付けられた化粧シート１３の意匠・装飾を考慮した意匠・装飾が施されているものとする。
【００５８】
以上のような第二ケーシング枠材３０も、上述したように、長さ方向に連続する同一断面を有するため、左右の区別なく用意することができ、１種類の第二ケーシング枠材３０を２つ用意すれば、開口枠材１０における幅方向両側の側面部１１に形成された双方の凹溝１１ａに対して対称的な向きで差込部３２を差し込むことができる。
なお、第二ケーシング枠材３０も、その長さ方向両端部は開口している状態となっているため、当該開口を閉塞するためのキャップ部材（図示せず）が設けられる。また、これに限られず、垂直に設けられた第二ケーシング枠材３０と水平に設けられた第二ケーシング枠材３０とが交差する箇所においては、その取り合い部分を側面視において斜め４５度に切断加工し、第二ケーシング枠材３０同士が直角に納まるようにしてもよい。
【００５９】
［ケーシング枠材の取付構造について］
第一ケーシング枠材２０は、各壁体１，２，３における各々の一側面と他側面が交わるコーナー部７ｄを介して隣り合う開口枠材１０の隣り合う側面部１１同士の間に、コーナー部７ｄに沿って設けられる（図２，図３において矢印Ｘで指す取付構造を参照。以下、取付構造Ｘと呼称する。）。
また、第一ケーシング枠材２０は、各壁体１，２，３における各々の幅方向側端部の一側面に開口枠材１０が取り付けられた場合に、コーナー部７ｄには沿わずに、各々の幅方向側端部の一側面に沿って設けられる（図２，図３において矢印Ｙで指す取付構造を参照。以下、取付構造Ｙと呼称する。）。
第二ケーシング枠材３０は、各壁体１，２，３における各々の幅方向側端面に開口枠材１０が取り付けられた場合であって、かつ、他の開口枠材１０と隣り合わない場合の両側面部１１もしくは他の開口枠材１０と隣り合わない方の側面部１１に、コーナー部７ｄに沿って設けられる（図２，図３において矢印Ｚで指す取付構造を参照。以下、取付構造Ｚと呼称する。）。
【００６０】
［取付構造Ｘ］
取付構造Ｘについて図１〜図３を参照して詳細に説明する。
まず、壁Ｗ１のうちの第一壁体１において隣接する領域Ａ側面と第三壁体３側面が、コーナー部７ｄを介して直交する方向に配置され、領域Ａ側面側及び第三壁体３側面側の双方に、互いに近接する開口部２ａ，３ａが形成された状態となっている。
そして、領域Ａ側の開口部２ａに面する開口枠材１０は、第一壁体１の領域Ａ側面に設けられ、第三壁体３側の開口部３ａに面する開口枠材１０は、第一壁体１の第三壁体３側面に設けられている。すなわち、第一壁体１の幅方向における側端部の領域Ａ側面に、開口部２ａ側の開口枠材１０が設けられ、第一壁体１の幅方向における側端面に、開口部３ａ側の開口枠材１０が設けられている。
さらに、開口部２ａ側の開口枠材１０と開口部３ａ側の開口枠材１０は、第一壁体１のコーナー部７ｄに沿って互いに隣り合うようにして配置されている。
【００６１】
第一ケーシング枠材２０は、第一壁体１のコーナー部７ｄに沿って、かつ、開口部２ａ側の開口枠材１０における側面部１１と、開口部３ａ側の開口枠材１０における側面部１１との間に位置するようにして設けられている。第一ケーシング枠材２０の本体部２１における面取り部２１ｂは、コーナー部７ｄに面するように配置されている。
【００６２】
第一ケーシング枠材２０の差込部２２は、開口部３ａ側の開口枠材１０の側面部１１における凹溝１１ａに差し込まれている。
一方、第一ケーシング枠材２０の凸部２３は、開口部２ａ側の開口枠材１０の側面部１１における凹溝１１ａに入れられている。凸部２３は、その突出寸法が短いため、差込部２２のように凹溝１１ａの奥までは差し込まれず、凹溝１１ａの開口部分に入れられた状態となっている。凸部２３は、このように凹溝１１ａに対する差込寸法は短いものの、凹溝１１ａに対して入った状態にはなるため、開口部２ａ側の開口枠材１０に対して第一ケーシング枠材２０を設ける場合の位置決め手段として機能する。
なお、本実施形態においては、差込部２２は、開口部３ａ側の開口枠材１０の側面部１１における凹溝１１ａに差し込まれ、凸部２３は、開口部２ａ側の開口枠材１０の側面部１１における凹溝１１ａに入れられるものとしたが、これらは反対でもよく、特に限定されるものではない。すなわち、差込部２２が、開口部２ａ側の開口枠材１０の側面部１１における凹溝１１ａに差し込まれ、凸部２３が、開口部３ａ側の開口枠材１０の側面部１１における凹溝１１ａに入れられるものであってもよい。
【００６３】
また、特に図３の例では、寸法調整等のための薄板状の調整材６ｄが、開口部２ａ側の開口枠材１０と、石膏ボード７ｂとの間に設けられており、開口枠材１０は、調整材６ｄの厚さ寸法分だけ、第二壁体２側に寄せて配置されている。そのため、第一ケーシング枠材２０の差込部２２は、自身が差し込まれた凹溝１１ａの溝底との間に隙間が形成されるようにして設けられている。
差込部２２は、凹溝１１ａに対する差込深さが浅くなってしまうが、その突出寸法は、薄板状の調整材６ｄの厚み寸法よりも長く設定されているため、差込部２２が凹溝１１ａから抜けてしまうことを防ぐことができる。これにより、第一ケーシング枠材２０の取付状態を良好に保つことができる。
【００６４】
以上のようにして隣り合う開口枠材１０の側面部１１同士の間に設けられた第一ケーシング枠材２０は、これら隣り合う開口枠材１０同士を連結し、これら隣り合う開口枠材１０同士と共に開口部２ａ，３ａの縁部の仕上げを行うことができる。
また、本実施形態においては、第一ケーシング枠材２０の本体部２１が、隣り合う開口枠材１０の側方突出部１２同士で部分的にカバーされた状態となっているので、凸部２３の突出寸法が短くても、第一ケーシング枠材２０が外れてしまうようなことはなく、第一ケーシング枠材２０の施工を支障なく行うことができる。
【００６５】
［取付構造Ｙ］
続いて、取付構造Ｙについて図１〜図３を参照して詳細に説明する。
開口部２ａ側の開口枠材１０は、第一壁体１における幅方向側端部の領域Ａ側面に取り付けられている。この場合、一方の側面部１１は、コーナー部７ｄに沿って配置された状態となるが、他方の側面部１１は、コーナー部７ｄには沿わずに、第一壁体１における幅方向側端部の領域Ａ側面に沿って設けられることになる。当該他方の側面部１１側に位置する側方突出部１２は、第一壁体１の領域Ａ側面との間に隙間を形成した状態となっており、当該隙間に、第一ケーシング枠材２０が設けられている。
【００６６】
第一ケーシング枠材２０の差込部２２は、上記の隙間に差し入れられ、開口枠材１０の側面部１１における凹溝１１ａに差し込まれている。
このように差込部２２が差し込まれた場合、凸部２３は、第一壁体１の領域Ａ側面に向かって突出する向きに配置されることになる。
図２に示す例において、凸部２３は、本体部２１から突出しているため、第一壁体１の領域Ａ側面に向かって押し付けられた状態となる。差込部２２の基端部２２ｂも括れた部位が弾性変形し、本体部２１も全体的に歪んだ状態となるように弾性変形する。すなわち、弾性変形した本体部２１及び差込部２２は弾性復帰しようとするため、凸部２３は、第一壁体１の領域Ａ側面に押し付けられることになる。これにより、本体部２１及び差込部２２は、弾性変形した状態が維持されることになるので、差込部２２が凹溝１１ａから抜けにくい状態となるように第一ケーシング枠材２０を開口枠材１０の側面部１１に設けることができる。
なお、凸部２３が第一壁体１の領域Ａ側面に押し付けられたことによる本体部２１及び差込部２２の弾性変形は僅かなものであり、人の目では、弾性変形しているのか否かが判断しにくい程度であり、その付近の外観性には一切影響がないものとなっている。
【００６７】
なお、第一壁体１における領域Ａ側面の壁仕上げ材８は、以上のようにして設けられた第一ケーシング枠材２０の凸部２３を被覆するようにして、かつ、本体部２１の一部にかけて貼り付けられている。換言すれば、壁仕上げ材８は、凸部２３と本体部２１の一部とを貼り代として利用している。
また、特に図３の例では、寸法調整等のための薄板状の調整材６ｄが、開口部２ａ側の開口枠材１０と、石膏ボード７ｂとの間に設けられており、開口枠材１０は、調整材６ｄの厚さ寸法分だけ、第二壁体２側に寄せて配置されている。そのため、第一ケーシング枠材２０の凸部２３は、第一壁体１における領域Ａ側面との間に隙間が形成されるようにして設けられている。
凸部２３の突出寸法は、薄板状の調整材６ｄの厚み寸法よりも短く設定されていることになるが、短い突出寸法でも第一壁体１の領域Ａ側面に向かって突出しているため、第一ケーシング枠材２０と第一壁体１の領域Ａ側面との間の隙間を小さくすることができ、壁仕上げ材８の貼り代として十分に機能するようになっている。
【００６８】
以上のようにして開口枠材１０の側面部１１に設けられた第一ケーシング枠材２０は、開口枠材１０のうちコーナー部７ｄに沿わない側の側面部１１の意匠性を向上させることができるようになっている。
【００６９】
［取付構造Ｚ］
続いて、取付構造Ｚについて図１〜図３を参照して詳細に説明する。
開口部３ａ側の開口枠材１０は、第一壁体１の幅方向における側端面（第三壁体３側面）に取り付けられている。そのため、この開口枠材１０における両側の側面部１１は、双方ともコーナー部７ｄに沿って設けられることになる。第二ケーシング枠材３０は、このように壁体の幅方向における側端面に開口枠材１０が設けられる場合であって、かつ、コーナー部７ｄを介して他の開口枠材１０と隣り合わない場合に用いられる。
図２，図３に示す例では、第一壁体１の幅方向における側端面に取り付けられた開口枠材１０のうち、隣り合う開口枠材１０のない領域Ｃ側の側面部１１に、第二ケーシング枠材３０が設けられている。
【００７０】
第二ケーシング枠材３０の差込部３２は、開口部３ａ側の開口枠材１０における側面部１１のうち、隣り合う開口枠材１０のない領域Ｃ側の側面部１１における凹溝１１ａに差し込まれている。
また、第二ケーシング枠材３０における本体部３１の壁側面３１ｃは、開口枠材１０の側面部１１と第一壁体１の領域Ｃ側面に跨って設けられている。
さらに、第一壁体１における領域Ｃ側面の壁仕上げ材８は、以上のようにして設けられた第二ケーシング枠材３０の本体部３１の一部を被覆するようにして貼り付けられている。換言すれば、壁仕上げ材８は、本体部３１の一部を貼り代として利用している。
【００７１】
開口枠材１０の側面部１１に設けられた第二ケーシング枠材３０は、開口枠材１０のうちコーナー部７ｄに沿わない側の側面部１１の意匠性を向上させることができるようになっている。
【００７２】
なお、以上のような取付構造Ｚは、図１に示す壁Ｗ１のうち、第二壁体２の幅方向における側端面に取り付けられた開口枠材１０、第二壁体２を構成する小壁２ｂの下面に取り付けられた開口枠材１０、第三壁体３の幅方向における側端面に取り付けられた開口枠材１０、第三壁体３を構成する小壁３ｂの下面に取り付けられた開口枠材１０にも適用されている。
すなわち、これらの箇所に取り付けられた開口枠材１０は、その両側の側面部１１が双方ともコーナー部に沿って設けられ、コーナー部を介して他の開口枠材１０と隣り合わない状態で設けられる。そのため、これらの箇所には、取付構造Ｚが採用され、第二ケーシング枠材３０と開口枠材１０とによって開口部２ａ，３ａの縁部が仕上げられた状態になっているものとする。
【００７３】
以上のような各取付構造Ｘ，Ｙ，Ｚを採用し、第一ケーシング枠材２０及び第二ケーシング枠材３０を、建物の壁Ｗ１に面して設けられた開口枠材１０の側面部１１に取り付けることで、建物の壁Ｗ１に形成された開口部２ａ，３ａの意匠性を向上させることができる。
そして、各取付構造Ｘ，Ｙ，Ｚは、例えば図６，図７に示すような建物の壁Ｗ２，Ｗ３にも適用することができる。
【００７４】
［建物の壁Ｗ２］
図６に示す建物の壁Ｗ２は、第一壁体１と、当該第一壁体１に対して直交する方向に設けられた第二壁体２と、第一壁体１と同一方向に設けられるとともに第二壁体２に対して直交する方向に設けられた第三壁体３と、第一壁体１に対して直交する方向に設けられるとともに第二壁体２の直線上に設けられた第四壁体４と、を備え、平面視において略十字状に形成されている。壁体１，２，３，４は、建物の床Ｆ上に立設されている。
【００７５】
第一壁体１と第二壁体２との間には領域Ａ、第二壁体２と第三壁体３との間には領域Ｂ、第三壁体３と第四壁体４との間には領域Ｃ、第一壁体１と第四壁体４との間には領域Ｄが形成されている。
各領域Ａ，Ｂ，Ｃ，Ｄの指す空間は、例えば、建物内における居室や廊下等の部屋又は屋外空間であり、特に限定されるものではない。
【００７６】
第一壁体１は、開口部が形成されていない壁体とされている。第一壁体１の幅方向における側端部の、領域Ａ側面に、第二壁体２が連結されている。第一壁体１の幅方向における側端面に、第三壁体３が連結されている。第一壁体１の幅方向における側端部の、領域Ｄ側面に、第四壁体４が連結されている。
第二壁体２には、当該第二壁体２を挟む領域Ａと領域Ｂとの間を空間的に接続する開口部２ａが形成されている。開口部２ａの上方には、第二壁体２の一部である小壁２ｂが設けられている。
第三壁体３には、当該第三壁体３を挟む領域Ｂと領域Ｃとの間を空間的に接続する開口部３ａが形成されている。開口部３ａの上方には、第三壁体３の一部である小壁３ｂが設けられている。
第四壁体４には、当該第四壁体４を挟む領域Ｃと領域Ｄとの間を空間的に接続する開口部４ａが形成されている。開口部４ａの上方には、第四壁体４の一部である小壁４ｂが設けられている。
【００７７】
図６に示す壁Ｗ２に設けられる開口枠材１０は、図１に示す壁Ｗ１の場合と比較すると、第四壁体４に対応する分だけ使用する数が増えるが、その取付態様は、第二壁体２の場合と対称であるため、詳細な説明は省略する。
要するに、第一壁体１の幅方向における側端部の領域Ｄ側に第四壁体４が設けられるため、図２，図３に示すような開口部３ａの垂直方向に沿う両側縁部のうち、領域Ｄ側の縁部には、第二ケーシング枠材３０が設けられず、開口枠材１０が設けられる。
そして、開口部３ａ側の開口枠材１０における側面部１１と、開口部４ａ側の開口枠材１０における側面部１１との間に、第一ケーシング枠材２０が設けられることとなる。このような場合の、第一ケーシング枠材２０の取付構造は、上記の取付構造Ｘが採用される。
【００７８】
また、開口部４ａ側の開口枠材１０における両側の側面部１１のうち、コーナー部７ｄに沿わない側の側面部１１には、上記の取付構造Ｙによって第一ケーシング枠材２０が取り付けられている。
【００７９】
さらに、第四壁体４の幅方向における側端面に取り付けられた開口枠材１０、第四壁体４を構成する小壁４ｂの下面に取り付けられた開口枠材１０には、上記の取付構造Ｚが採用される。すなわち、第二ケーシング枠材３０と当該第二ケーシング枠材３０が取り付けられた開口枠材１０とによって、第四壁体４における開口部４ａの縁部が仕上げられた状態になっているものとする。
【００８０】
図６に示すような壁Ｗ２であっても、以上のような各取付構造Ｘ，Ｙ，Ｚを採用し、第一ケーシング枠材２０及び第二ケーシング枠材３０を、建物の壁Ｗ２に面して設けられた開口枠材１０の側面部１１に取り付けることで、建物の壁Ｗ２に形成された開口部２ａ，３ａ，４ａの意匠性を向上させることができる。
【００８１】
［建物の壁Ｗ３］
図７に示す建物の壁Ｗ３は、第一壁体１と、当該第一壁体１に対して直交する方向に設けられた第二壁体２と、第一壁体１と同一方向に設けられるとともに第二壁体２に対して直交する方向に設けられた第三壁体３´と、を備え、平面視において略Ｔ字状に形成されている。壁体１，２，３´は、建物の床Ｆ上に立設されている。
【００８２】
第三壁体３´には、開口部が形成されていない壁体とされている。すなわち、この第三壁体３´は、第一壁体１と同様に構成された壁体であり、自身の幅方向における側端面が、第一壁体１の幅方向における側端面に連結されている。したがって、開口部の無い第一壁体１と第三壁体３´とが連続した状態となっている。
【００８３】
第二壁体２は、当該第二壁体２を挟む領域Ａと領域Ｂとの間を空間的に接続する開口部２ａが形成されている。また、本実施形態における第二壁体２は、自身の幅方向における側端面が、第一壁体１の幅方向における側端部の領域Ａ側面に連結されているが、これに限られるものではなく、第三壁体３´の幅方向における側端部の領域Ｂ側面に連結されてもよいし、第一壁体１の領域Ａ側面と第三壁体３´の領域Ｂ側面に跨って連結されてもよい。
【００８４】
図７に示す壁Ｗ３の開口部２ａにおいては、第一壁体１の幅方向における側端部の領域Ａ側面と、第二壁体２を構成する小壁２ｂの下面と、小壁２ｂ下の第二壁体２の幅方向における側端面と、に対して開口枠材１０が取り付けられている。
【００８５】
第一壁体１の幅方向における側端部の領域Ａ側面に取り付けられた開口枠材１０の場合には、第三壁体３´に開口部が形成されていないため、当該開口枠材１０における両側の側面部１１のそれぞれに、上記の取付構造Ｙが採用されて第一ケーシング枠材２０が取り付けられている。
さらに、小壁２ｂ下の第二壁体２の幅方向における側端面に取り付けられた開口枠材１０、第二壁体２を構成する小壁２ｂの下面に取り付けられた開口枠材１０には、上記の取付構造Ｚが採用される。
これにより、第二ケーシング枠材３０と当該第二ケーシング枠材３０が取り付けられた開口枠材１０とによって、壁Ｗ３の第二壁体２における開口部２ａの縁部が仕上げられた状態になっているものとする。
【００８６】
図７に示すような壁Ｗ３であっても、以上のような各取付構造Ｙ，Ｚを採用し、第一ケーシング枠材２０及び第二ケーシング枠材３０を、建物の壁Ｗ３に面して設けられた開口枠材１０の側面部１１に取り付けることで、建物の壁Ｗ３に形成された開口部２ａの意匠性を向上させることができる。
【００８７】
［その他の建物の壁］
上述の各例においては、第一壁体１に直交する第二壁体２又は第四壁体４が設けられるものとしたが、これに限られるものではなく、第一壁体１と第三壁体３とで建物の壁が構成される場合もある。このような場合は、第三壁体３に形成された開口部３ａにおいては、第一壁体１の幅方向における側端面と、第三壁体３を構成する小壁３ｂの下面と、小壁３ｂ下の第三壁体３の幅方向における側端面と、に対して開口枠材１０が取り付けられている。
そして、開口部３ａ周りの三方の開口枠材１０に対しては、上記の取付構造Ｚが採用されて第一ケーシング枠材２０が取り付けられている。
これにより、第二ケーシング枠材３０が取り付けられた開口枠材１０によって、第三壁体３における開口部３ａの縁部を仕上げた状態にすることができ、開口部３ａの意匠性を向上させることができる。
【００８８】
図示はしないが、建物の壁が柱状部を含み、当該柱状部に面して開口部が形成される場合にも、上記の取付構造Ｘ，Ｙ，Ｚを適用して第一ケーシング枠材２０及び第二ケーシング枠材３０を適宜取り付けることができる。
例えば柱状部が断面視正方形に形成されていた場合は、最大で４つの側面に対して開口枠材１０を設けることができ、この場合には、取付構造Ｘを適用して、柱状部のコーナー部を介して隣り合う開口枠材１０の側面部１１同士の間に第一ケーシング枠材２０を取り付けることができる。
その他にも、柱状部の４つの側面のうち、１つの側面、２つの側面（コーナー部を介して隣り合うパターン、隣り合わないパターン）、３つの側面に対して開口枠材１０が設けられる場合があるが、上記の取付構造Ｘ，Ｙ，Ｚを適切に採用すれば、第一ケーシング枠材２０及び第二ケーシング枠材３０を確実に取り付けることができる。
これにより、第一ケーシング枠材２０又は第二ケーシング枠材３０が取り付けられた開口枠材１０によって、柱状部周囲の開口部の縁部を仕上げた状態にすることができ、開口部の意匠性を向上させることができる。
【００８９】
［ケーシング枠材の取付方法］
ケーシング枠材２０を開口枠材１０の側面部１１に取り付ける場合は、まず、建物の壁Ｗ１，Ｗ２，Ｗ３に対して石膏ボード７ａ，７ｂ，７ｃを貼り付けて、その後に、開口枠材１０と共に施工を行うようにする。
石膏ボード７ａ，７ｂ，７ｃは、耐火機能を有しており、隙間なく貼り付けることで耐火ラインを形成できるようになっている。そのため、石膏ボード７ａ，７ｂ，７ｃによって建物の壁Ｗ１，Ｗ２，Ｗ３に耐火ラインを形成した後に、開口枠材１０とケーシング枠材２０の施工を行うことが、建物の耐火性を向上する上で重要となる。
なお、石膏ボード７ａ，７ｂ，７ｃによって耐火ラインを形成した後は、開口枠材１０を建物の壁Ｗ１，Ｗ２，Ｗ３に取り付けてからケーシング枠材２０を側面部１１に取り付けるようにしてもよいし、側面部１１にケーシング枠材２０を取り付けた状態で開口枠材１０を建物の壁Ｗ１，Ｗ２，Ｗ３に取り付けるようにしてもよい。
【００９０】
本実施の形態によれば、差込部２２は、当該差込部２２を本体部２１に対して撓ませるための弾性部を有しているので、開口部２ａ，３ａ，４ａの施工を行うにあたって、使用される各種部材に多少の寸法誤差があったり、施工誤差が生じたりしたとしても、差込部２２が弾性変形することによって、その誤差を吸収することができる。
さらに、本体部２１が、長さ方向に連続する同一断面となっているので、例えば差込部２２及び凸部２３が本体部２１の長さ方向に断続的に複数設けられるものであったとしても、第一ケーシング枠材２０を左右の区別なく用意することができる。すなわち、第一ケーシング枠材２０を、開口枠材１０における幅方向両側の側面部１１のどちらにも取り付けることができるので、開口枠材１０における幅方向一方側の側面部１１専用、幅方向他方側の側面部１１専用の第一ケーシング枠材を用意する必要がなく、開口部２ａ，３ａ，４ａの施工に係る部品点数を極力減らすことができる。
また、差込部２２よりも短い寸法で突出する凸部２３を備えているため、複数の開口枠材１０同士が直交方向に隣り合う場合でも、隣り合う側面部１１同士のそれぞれの凹溝１１ａに差込部２２と凸部２３とが対応することになり、開口枠材１０同士を近接して設けることができる。
加えて、開口枠材１０が、一方の側面部１１がコーナー部７ｄに位置しないように設けられる場合でも、凸部２３が、差込部２２よりも短い寸法で突出していることから、差込部２２を一方の側面部１１における凹溝１１ａに差し込んで、凸部２３を壁Ｗ１，Ｗ２，Ｗ３の側面に向けることで、一方の側面部１１と壁Ｗ１，Ｗ２，Ｗ３の側面との間を化粧して意匠性を向上させることができる。しかも、凸部２３が壁Ｗ１，Ｗ２，Ｗ３の側面に当接した状態であっても、差込部２２が弾性変形して、壁Ｗ１，Ｗ２，Ｗ３に向かって突出する凸部２３が支障とならないように、ケーシング枠材２０を開口枠材１０における一方の側面部１１側に設けることができる。
【００９１】
また、差込部２２及び凸部２３のそれぞれは、その突出方向と直交する方向の厚み寸法が、本体部２１の厚み寸法よりも短く設定され（すなわち、本体部２１の厚み寸法よりも薄く設定され）、凸部２３よりも差込部２２の方が長く設定されているので、少なくとも差込部２２は、本体部２１よりも撓みやすくなっている。そのため、開口部２ａ，３ａ，４ａの施工を行うにあたって、使用される各種部材に多少の寸法誤差があったり、施工誤差が生じたりしたとしても、差込部２２，４２が弾性変形することによって、その誤差を吸収することができる。
【００９２】
また、差込部２２が、凹溝１１ａ内の溝壁に密接する先端部２２ａを有するので、差込部２２が凹溝１１ａに差し込まれた際の第一ケーシング枠材２０の開口枠材１０への取付状態を向上させることができる。すなわち、第一ケーシング枠材２０を、開口枠材１０の側面部１１に確実に取り付けることができる。
さらに、差込部２２が、先端部２２ａよりも括れて厚み寸法の薄い状態に形成された基端部２２ｂを有しており、基端部２２ｂが弾性部として機能するので、当該基端部２２ｂの位置で差込部２２が撓みやすい状態となる。そのため、寸法誤差や施工誤差を吸収しやすくなる。
【００９３】
また、差込部２２及び凸部２３は、本体部２１のうち外部に露出する側面に沿って、かつ、本体部２１との境界部位において面一な状態で設けられているので、差込部２２から本体部２１にかけての部位と、凸部２３から本体部２１にかけての部位とが面一な状態に形成されることになる。これにより、これらの各部位は、差込部２２が凹溝１１ａに差し込まれる際や凸部２３が凹溝１１ａに入れられる際に、開口枠材１０における差込部２２側の面と凸部２３側の面に対して接触しながらスライド移動するためのガイドとして機能することになるので、第一ケーシング枠材２０を開口枠材１０の側面部１１に取り付ける際の施工性を向上させることができる。
さらに、凸部２３が、例えば凹溝１１ａに入れられずに外部側に配置された場合に、凸部２３から本体部２１にかけての部位を、壁Ｗ１，Ｗ２，Ｗ３の壁仕上げ材８の端部を貼り付けるための貼り代（シロ）として利用するので、壁仕上げ材８の端部の納まりが良くなる。
【００９４】
また、第一ケーシング枠材２０は、壁Ｗ１，Ｗ２のコーナー部７ｄに沿って、かつ、一方の開口枠材１０における側面部１１と他方の開口枠材１０における側面部１１との間に位置するようにして設けられており、第一ケーシング枠材２０の差込部２２は、一方の開口枠材１０の凹溝１１ａに差し込まれ、第一ケーシング枠材２０の凸部２３は、他方の開口枠材１０の凹溝１１ａに入れられているので、第一ケーシング枠材２０によって、一方の開口枠材１０における側面部１１と他方の開口枠材１０における側面部１１との間における隙間を埋めるようにして確実に設けられ、壁Ｗ１，Ｗ２のコーナー部７ｄを化粧することができる。
【００９５】
また、第一ケーシング枠材２０が、開口部２ａ，３ａ，４ａに面して設けられた開口枠材１０の側面部１１に設けられており、第一ケーシング枠材２０の差込部２２は、開口枠材１０の凹溝１１ａに差し込まれ、第一ケーシング枠材２０の凸部２３は、壁Ｗ１，Ｗ２，Ｗ３の側面に向かって突出する向きに配置されているので、第一ケーシング枠材２０を、一方の開口枠材１０における側面部１１と他方の開口枠材１０における側面部１１との間に必ずしも設ける必要はなく、少なくとも片側に隣り合う開口枠材１０がない状態で設けられた開口枠材１０の、隣り合う開口枠材１０がない側の側面部１１に設けることができる。そのため、互いに隣り合う開口枠材１０の側面部１１間に設けられる第一ケーシング枠材２０と、少なくとも片側に隣り合う開口枠材１０がない状態で設けられた開口枠材１０の側面部１１に設けられる第一ケーシング枠材２０とを共通化することができ、開口部２ａ，３ａ，４ａの施工に係る部品点数を極力減らすことができる。
さらに、第一ケーシング枠材２０の凸部２３は、壁Ｗ１，Ｗ２，Ｗ３の側面に向かって突出する向きに配置されているので、凸部２３が壁Ｗ１，Ｗ２，Ｗ３の側面に接する場合は、少なくとも差込部２２が弾性変形した状態で凹溝１１ａ内に差し込まれて、本体部２１が壁Ｗ１，Ｗ２，Ｗ３の側面から離れる方向に傾いた状態で開口枠材１０の側面部１１に設けられる。そのため、差込部２２が凹溝１１ａから抜けにくい状態となるように第一ケーシング枠材２０を開口枠材１０の側面部１１に設けることができるので、第一ケーシング枠材２０の開口枠材１０の側面部１１への取付状態を良好にすることができる。
【００９６】
また、側面部１１のうち側方突出部１２との境界に凹溝１１ａが形成されており、開口枠材１０のうち壁Ｗ１，Ｗ２，Ｗ３側の面から側方突出部１２までの、厚み方向に沿う寸法と、第一ケーシング枠材２０，４０の本体部２１，４１における厚み寸法とが略等しく設定されているので、差込部２２，４２が凹溝１１ａに差し込まれた状態の第一ケーシング枠材２０，４０における本体部２１，４１を、側面部１１と側方突出部１２とで形成される入隅部分に納まり良く設けることができる。
【００９７】
また、第一ケーシング枠材２０を、開口枠材１０の側面部１１に取り付けるにあたって、建物の壁Ｗ１，Ｗ２，Ｗ３の表面に石膏ボード７ａ，７ｂ，７ｃを貼り付けた後、石膏ボード７ａ，７ｂ，７ｃの上から、開口枠材１０を取り付けるとともに当該開口枠材１０の側面部１１に第一ケーシング枠材２０を取り付けるようにする。これにより、石膏ボード７ａ，７ｂ，７ｃによって壁Ｗ１，Ｗ２，Ｗ３の表面を隙間なく覆った後から、開口枠材１０とケーシング枠材２０，４０の施工を行うことができる。そのため、石膏ボード７ａ，７ｂ，７ｃによって切れ目のない耐火ラインを形成しつつ、開口枠材１０とケーシング枠材２０，４０を建物の壁Ｗ１，Ｗ２，Ｗ３に確実に取り付けることができる。さらに、第一ケーシング枠材２０を側面部１１に取り付けるにあたって、石膏ボード７ａ，７ｂ，７ｃの取付態様を考慮する必要がないので、施工性の向上を図ることもできる。
【００９８】
〔変形例〕
なお、本発明を適用可能な実施形態は、上述した実施形態に限定されることなく、本発明の趣旨を逸脱しない範囲で適宜変更可能である。以下、変形例について説明する。以下に挙げる変形例は可能な限り組み合わせてもよい。
【００９９】
〔変形例１〕
上記の実施形態における第一ケーシング枠材２０は、凸部２３の本体部２１からの突出寸法が極めて短かったが、本変形例における第一ケーシング枠材４０の凸部４３は、図８に示すように、上記の実施形態における第一ケーシング枠材２０の凸部２３よりも突出寸法が長く設定されている。ただし、上記の実施形態における第一ケーシング枠材２０の凸部２３を除く各部位と、本変形例における第一ケーシング枠材４０の凸部４３を除く各部位の寸法設定は同一であるものとする。
また、図８は、開口部２ａに面する開口枠材１０と、開口部３ａに面する開口枠材１０が、コーナー部７ｄを介して隣り合って設けられ、これら隣り合う開口枠材１０の側面部１１同士の間に、本変形例における第一ケーシング枠材４０が設けられた状態を示している。なお、図８は、開口部２ａ側の開口枠材１０と石膏ボード７ｂとの間に、寸法調整等のための薄板状の調整材６ｄが設けられた状態を示している。そのため、開口枠材１０が、調整材６ｄの厚さ寸法分だけ、第二壁体２に寄せられて配置されている。
【０１００】
第一ケーシング枠材４０は、開口枠材１０と共に開口部２ａ，３ａの縁部の仕上げを行うため、開口枠材１０に対応した長さに設定されている。
第一ケーシング枠材４０は、図８に示すように、本体部４１と、差込部４２と、凸部４３と、を備える。本実施形態における第一ケーシング枠材４０は、樹脂製の押出成型品とされている。そのため、長さ方向に連続する同一断面を有する。
差込部４２の突出方向及び凸部４３の突出方向は、本体部４１の長さ方向に直交する方向であって、かつ、互いに直交する方向とされている。
【０１０１】
本変形例における第一ケーシング枠材４０の本体部４１、差込部４２は、上記の実施形態における第一ケーシング枠材２０の本体部２１、差込部２２と同様の構成であるため、説明は省略する。また、本体部４１における外部に露出する部分には、化粧シート４４が一体的に貼り付けられている。
【０１０２】
本変形例における第一ケーシング枠材４０の凸部４３は、本体部４１に一体形成された凸部本体４３ａと、凸部本体４３ａの先端に、当該凸部本体４３ａから切り離し可能に一体形成され、凹溝１１ａに差し込まれて凹溝１１ａ内の溝壁に接触する切り離し部４３ｂと、を有する。
本変形例における凸部４３は、差込部４２よりも突出寸法が短く設定されているものの、上記の実施形態における第一ケーシング枠材２０の凸部２３よりも突出寸法が長く設定されている。
【０１０３】
凸部本体４３ａは、切り離し部４３ｂが切り離された状態においては、上記の実施形態における第一ケーシング枠材２０の凸部２３と同様に機能する。すなわち、切り離し部４３ｂが切り離された状態の凸部本体４３ａは、差込部４２の突出寸法に比して極めて短く、“寸法の短い突起”、“寸法の短い出っ張り”、又は“膨らみ”程度に認識されるものである。
また、凸部本体４３ａは、本体部４１のうち外部に露出する側面に沿って、かつ、本体部４１との境界部位において面一な状態で設けられている。
【０１０４】
凸部４３は、凸部本体４３ａと切り離し部４３ｂとの間に“切れ込み”が入っており、当該切れ込みよりも先端側が、凸部本体４３ａから切り離し可能な切り離し部４３ｂとされている。
切り離し部４３ｂは、外部側に突出する（膨らむ）引掛部４３ｃと、第一壁体１側に突出する（膨らむ）接触部４３ｄと、を有する。
引掛部４３ｃ及び接触部４３ｄは、凹溝１１ａ内の溝壁に接する突起（膨らみ）であり、凸部４３を凹溝１１ａに差し込んだ際に、凹溝１１ａ内の溝壁に密着して接する。すなわち、凹溝１１ａにおける一方の溝壁と他方の溝壁との間の溝幅は、引掛部４３ｃ及び接触部４３ｄを含む切り離し部４３ｂ全体の厚み寸法よりも若干短いか、略等しく設定されている。
切り離し部４３ｂを凹溝１１ａに差し込む際は、必要に応じて接着剤を使用してもよい。
切り離し部４３ｂの厚み寸法は、凸部本体４３ａの厚み寸法よりも長く設定されている。また、切り離し部４３ｂの厚み寸法は、本体部４１の厚み寸法よりも短く設定されている。すなわち、凸部４３全体の厚みは、本体部４１の厚みよりも薄く設定されている。
【０１０５】
開口枠材１０の外部に露出する面には、化粧シート１３が貼り付けられているが、この化粧シート１３は、図８に示すように、側方突出部１２を巻き込み、端末部が凹溝１１ａに入る直前まで伸びている。
引掛部４３ｃは、上記の調整材６ｄが用いられた場合に、開口枠材１０の外部に露出する面を被覆する化粧シート１３の端末部に引っ掛かるように設定されている。
すなわち、凸部４３は、本体部４１から引掛部４３ｃまでの突出寸法と、凹溝１１ａ直前まで巻き込むように貼り付けられた化粧シート１３の長さと、調整材６ｄの厚み寸法とが、それぞれ計算されて対応するものとなっている。
このような引掛部４３ｃの構造によれば、差込部４２よりも短い突出寸法に設定された凸部４３が、凹溝１１ａから抜けにくくなるので、第一ケーシング枠材４０の取付状態を向上させることができるようになっている。
【０１０６】
また、凸部本体４３ａと切り離し部４３ｂとの間の切れ込みは、本変形例においては外部側の面と第一壁体１側の面のそれぞれに形成されている。本変形例における切れ込みは、凸部４３を厚み方向に貫通するように形成されてはいないが、これに限られるものではなく、第一ケーシング枠材４０の長さ方向に断続的に貫通した状態で形成されてもよい。
切り離し部４３ｂを凸部本体４３ａから切り離す場合は、カッター等の切断道具を用い、切り離し部４３ｂが切り離された後は、凸部本体４３ａの先端をヤスリなどで滑らかにすることが好ましい。
【０１０７】
以上のような第一ケーシング枠材４０は、上述したように、長さ方向に連続する同一断面を有するため、長さ方向一方側の端部の位置と他方側の端部の位置とを逆転させて配置すれば、差込部４２及び凸部４３の向きも、それぞれ正反対となる。そのため、左右の区別なく用意することができ、１種類の第一ケーシング枠材４０を２つ用意すれば、開口枠材１０における幅方向両側の側面部１１に形成された双方の凹溝１１ａに対して対称的な向きで差込部４２を差し込むことができる。
なお、第一ケーシング枠材４０は、本体部４１が筒状に形成されているため、第一ケーシング枠材４０の長さ方向両端部は開口している状態となっている。そのため、第一ケーシング枠材４０の長さ方向両端部には、開口を閉塞するためのキャップ部材（図示せず）が設けられる。
【０１０８】
本変形例における第一ケーシング枠材４０は、差込部４２と、ある程度の長さに設定された凸部４３と、を備えるため、図８に示すように、コーナー部７ｄを介して隣り合う開口枠材１０のうち、一方の開口枠材１０の側面部１１に形成された凹溝１１ａに対して差込部４２を差し込むことができ、他方の開口枠材１０の側面部１１に形成された凹溝１１ａに対して凸部４３を差し込むことができる。
これにより、隣り合う開口枠材１０の側面部１１同士の間に設けられた第一ケーシング枠材４０は、これら隣り合う開口枠材１０同士を連結し、これら隣り合う開口枠材１０同士と共に開口部２ａ，３ａの縁部の仕上げを行うことができる。換言すれば、本変形例における第一ケーシング枠材４０を用いれば、上記の実施形態における取付構造Ｘに類する、取付構造を実現することができる（以下、取付構造Ｘ´と呼称する。）。
【０１０９】
また、本変形例における第一ケーシング枠材４０は、切り離し部４３ｂを凸部本体４３ａから切り離すことができるようになっている。切り離し部４３ｂが切り離された状態の第一ケーシング枠材４０は、上記の実施形態における第一ケーシング枠材２０と略等しい構成を備えており、上記の実施形態における取付構造Ｘ及び取付構造Ｙを実現することができる。
より詳細に説明すると、コーナー部７ｄを介して２つの開口枠材１０が隣り合って設けられた場合に、第一ケーシング枠材４０は、一方の開口枠材１０の側面部１１に形成された凹溝１１ａに対して差込部４２を差し込み、他方の開口枠材１０の側面部１１に形成された凹溝１１ａに対して、切り離し部４３ｂが切り離された状態の凸部本体４３ａを、凹溝１１ａの奥までは差し込まずに、凹溝１１ａの開口部分に入れるようにして設けることができるので、上記の取付構造Ｘを実現することができる。
また、少なくとも一方の側面部１１がコーナー部７ｄには沿わない状態で開口枠材１０が壁体の側面に設けられた場合に、第一ケーシング枠材４０は、少なくとも一方の側面部１１の凹溝１１ａに対して差込部４２を差し込み、切り離し部４３ｂが切り離された凸部本体４３ａを、壁体の側面に向かって突出する向きに配置するようにして設けることができるので、上記の取付構造Ｙを実現することができる。
【０１１０】
本変形例によれば、上記の実施形態と同様の効果を発揮することができる。
また、凸部４３は、本体部４１に一体形成された凸部本体４３ａと、凸部本体４３ａの先端に、当該凸部本体４３ａから切り離し可能に一体形成され、凹溝１１ａに差し込まれて凹溝１１ａ内の溝壁に接触する切り離し部４３ｂと、を有するので、切り離し部４３ｂを凸部本体４３ａから切り離さない状態の凸部４３を、差込部４２より突出寸法は短いものの、差込部４２と同様に凹溝１１ａに差し込むことができる。これにより、差込部４２側に位置する開口枠材１０の凹溝１１ａに差込部４２を差し込むことができ、凸部４３側に位置する開口枠材１０の凹溝１１ａに差込部４２を差し込むことができるので、例えば差込部４２だけが開口枠材１０の凹溝１１ａに差し込まれる場合に比して、第一ケーシング枠材４０の取付状態を向上させることができる。また、凸部本体４３ａと切り離し部４３ｂとを有する凸部４３が、見た目にも撓みが生じていることが判るような、ある程度の突出寸法に設定されているので（図８参照。）、弾性変形が可能となり、差込部４２と共に、寸法誤差や施工誤差の吸収に貢献できる。
一方、切り離し部４３ｂを凸部本体４３ａから切り離した状態では、切り離し部４３ｂを凸部本体４３ａから切り離さない状態よりも凸部４３の突出寸法を短くすることができる。そのため、例えば第一ケーシング枠材４０を、凸部本体４３ａを開口枠材１０における側面部１１の凹溝１１ａに入れたり、凸部本体４３ａを壁の側面に向けて突出させた状態で配置したりすることができる。これにより、一種類の第一ケーシング枠材４０によって複数の取付構造Ｘ，Ｘ´，Ｙを実現することができるので汎用性に優れる。
【０１１１】
また、第一ケーシング枠材４０が、開口部２ａ，３ａ，４ａに面して設けられた開口枠材１０の側面部１１に設けられており、第一ケーシング枠材４０の差込部４２は、開口枠材１０の凹溝１１ａに差し込まれており、第一ケーシング枠材４０の凸部４３は、切り離し部４３ｂが凸部本体４３ａから切り離された状態となっており、切り離し部４３ｂが切り離された凸部４３における凸部本体４３ａが、壁Ｗ１，Ｗ２，Ｗ３の側面に向かって突出する向きに配置されているので、第一ケーシング枠材４０を、一方の開口枠材１０における側面部１１と他方の開口枠材１０における側面部１１との間に必ずしも設ける必要はなく、少なくとも片側に隣り合う開口枠材１０がない状態で設けられた開口枠材１０の、隣り合う開口枠材１０がない側の側面部１１に設けることができる。そのため、互いに隣り合う開口枠材１０の側面部１１間に設けられる第一ケーシング枠材４０と、少なくとも片側に隣り合う開口枠材１０がない状態で設けられた開口枠材１０の側面部１１に設けられる第一ケーシング枠材４０とを共通化することができ、開口部２ａ，３ａ，４ａの施工に係る部品点数を極力減らすことができる。
さらに、第一ケーシング枠材４０の凸部４３における凸部本体４３ａは、壁Ｗ１，Ｗ２，Ｗ３の側面に向かって突出する向きに配置されているので、凸部本体４３ａが壁Ｗ１，Ｗ２，Ｗ３の側面に接する場合は、少なくとも差込部４２が弾性変形した状態で凹溝１１ａ内に差し込まれて、本体部４１が壁Ｗ１，Ｗ２，Ｗ３の側面から離れる方向に傾いた状態で開口枠材１０の側面部１１に設けられる。そのため、差込部４２が凹溝１１ａから抜けにくい状態となるように第一ケーシング枠材４０を開口枠材１０の側面部１１に設けることができるので、第一ケーシング枠材４０の開口枠材１０の側面部１１への取付状態を良好にすることができる。
【０１１２】
〔変形例２〕
本変形例におけるケーシング枠材は、図示はしないが、本体部の厚み寸法と差込部の厚み寸法とが略等しく設定されている。また、本体部の厚み寸法と凸部の厚み寸法とが略等しく設定されている。すなわち、ケーシング枠材が、断面視又は端面視において略Ｌ形に形成されている。
このようなシンプルな形状のケーシング枠材における差込部は、上記の実施形態における基端部２２ｂのように、たとえ括れた状態には形成されていなくても、弾性部を有した状態となっている。そのため、開口部の施工を行うにあたって、使用される各種部材に多少の寸法誤差があったり、施工誤差が生じたりしたとしても、差込部が弾性変形することによって、その誤差を吸収することができる。
なお、本変形例における差込部が有する弾性部は、弾性を発揮すべき箇所の素材を変更することで弾性を有する状態にしてもよいし、一定の厚み寸法を保持したまま弾性を発揮できる構造（例えばラティスや網目構造のように空隙や孔を形成して「疎」の状態にする。）を採用することで弾性を有する状態にしてもよい。すなわち、本変形例においては、差込部のうち弾性を発揮する箇所が弾性部とされている。
【符号の説明】
【０１１３】
Ｗ１  壁
Ｗ２  壁
Ｗ３  壁
Ａ  領域
Ｂ  領域
Ｃ  領域
Ｄ  領域
Ｘ  取付構造
Ｙ  取付構造
Ｚ  取付構造
１  第一壁体
２  第二壁体
２ａ  開口部
２ｂ  小壁
３  第三壁体
３ａ  開口部
３ｂ  小壁
４  第四壁体
４ａ  開口部
４ｂ  小壁
７ｄ  コーナー部７ｄ
１０  開口枠材
１１  側面部
１１ａ  凹溝
１２  側方突出部
２０  第一ケーシング枠材
２１  本体部
２２  差込部
２３  凸部
３０  第二ケーシング枠材
３１  本体部
３２  差込部
４０  ケーシング枠材
４１  本体部
４２  差込部
４３  凸部
４３ａ  凸部本体
４３ｂ  切り離し部
【図１】
2019190173.tif 000003
【図２】
2019190173.tif 000004
【図３】
2019190173.tif 000005
【図４】
2019190173.tif 000006
【図５】
2019190173.tif 000007
【図６】
2019190173.tif 000008
【図７】
2019190173.tif 000009
【図８】
2019190173.tif 000010